(57)【要約】【課題】小型化・薄型化した結像光学系等において、高変倍比化時厳しく求められる色収差を良好に行なえる結像光学系を提供すること。【解決手段】最も物体側に配置されたレンズ群と、レンズ群の像側に配置された開口絞りと、レンズ群と開口絞りの間に配置された負の屈折力を有するレンズ群を備え、  負の屈折力を有するレンズ群が、正レンズＬAPと負レンズＬANが接合された接合レンズ成分を含み、  変倍を行う結像光学系であって、  横軸をνdp、及び縦軸をθgFpとする直交座標系において、       θgFp＝αp×νdp＋βp（但し、αp＝−０．００１６３）で表される直線を設定したときに、以下の条件式（１）の範囲の下限値であるときの直線、及び上限値であるときの直線で定まる領域と、以下の条件式（２）で定まる領域との両方の領域に、正レンズＬAPのθgF及びνdpが含まれることを特徴とする。       ０．６６５０＜βp＜０．９０００  …（１）       ３＜νdp＜２７                  …（２） 【選択図】図１
2009169082.tif 000002
【特許請求の範囲】
【請求項１】
最も物体側に配置されたレンズ群と、該レンズ群の像側に配置された開口絞りと、前記レンズ群と前記開口絞りの間に配置された負の屈折力を有するレンズ群を備え、
前記負の屈折力を有するレンズ群が、正レンズＬAPと負レンズＬANが接合された接合レンズ成分を含み、
前記レンズ群と前記負の屈折力を有するレンズ群の間隔を変えて変倍を行う結像光学系であって、
横軸をνdp、及び縦軸をθgFpとする直交座標系において、
θgFp＝αp×νdp＋βp（但し、αp＝−０．００１６３）
で表される直線を設定したときに、以下の条件式（１）の範囲の下限値であるときの直線、及び上限値であるときの直線で定まる領域と、以下の条件式（２）で定まる領域との両方の領域に、前記正レンズＬAPのθgF及びνdpが含まれることを特徴とする結像光学系。
０．６６５０＜βp＜０．９０００  …（１）
３＜νdp＜２７                  …（２）
ここで、θgFpは部分分散比（ｎg−ｎF)／（ｎF−ｎC）、νdpはアッベ数、（ｎd−1)／（ｎF−ｎC）、ｎd、ｎC、ｎF、ｎgは各々ｄ線、Ｃ線、Ｆ線、ｇ線の屈折率である。
【請求項２】
前記直交座標とは別の、横軸をνd、及び縦軸をθhgpとする直交座標系において、
θhgp＝αhgp×νdp＋βhgp（但し、αhgp＝−０．００２２５）
で表される直線を設定したときに、以下の条件式（３）の範囲の下限値であるときの直線、及び上限値であるときの直線で定まる領域と、以下の条件式（２）で定まる領域との両方の領域に、前記正レンズＬAPのθhgpとνdpが含まれることを特徴とする請求項１に記載の結像光学系。
０．６２００＜βhgp＜０．９５００  …（３）
３＜νdp＜２７                    …（２）
ここで、θhgpは部分分散比（ｎh−ｎg)／（ｎF−ｎC）、ｎhはｈ線の屈折率である。
【請求項３】
以下の条件を満足することを特徴とする請求項１または請求項２に記載の結像光学系。
０．０７≦θgFp−θgFn≦０．５０                …（４）
ここで、θgFp は前記正レンズＬAPの部分分散比（ｎg−ｎF)／（ｎF−ｎC）、θgFn は前記負レンズＬANの部分分散比（ｎg−ｎF)／（ｎF−ｎC）である。
【請求項４】
以下の条件を満足することを特徴とする請求項３に記載の結像光学系。
０．１０≦θhgp−θhgn≦０．６０                …（５）
ここで、θhgpは前記正レンズＬAPの部分分散比（ｎh−ｎg)／（ｎF−ｎC）、θhgn は前記負レンズＬANの部分分散比（ｎh−ｎg)／（ｎF−ｎC）である。
【請求項５】
以下の条件を満足することを特徴とする請求項３または請求項４に記載の結像光学系。
νdp−νdn≦−１０          …（６）
ここで、νdpは前記正レンズＬAPのアッベ数（ｎd−１)／（ｎF−ｎC）、νdnは前記負レンズＬANのアッベ数（ｎd−１)／（ｎF−ｎC）である。
【請求項６】
以下の条件を満足することを特徴とする請求項１乃至請求項５の何れか１項に記載の結像光学系。
１．５５≦ｎdp≦１．８０    …（７）
ここで、ｎdpは前記正レンズＬAPのｄ線に対する屈折率である。
【請求項７】
前記正レンズＬAPの材質はエネルギー硬化型樹脂であり、前記負レンズＬAN上に直接成形する方式で接合レンズを形成することを特徴とする請求項１乃至請求項６の何れか１項に記載の結像光学系。
【請求項８】
前記接合レンズ成分は、接合面が非球面になっていることを特徴とする請求項１乃至請求項７の何れか１項に記載の結像光学系。
【請求項９】
前記正レンズＬAPの面形状は、その近軸曲率半径による球面レンズのときと比べて光軸から離れるほど光束収斂性が弱まる形状であることを特徴とする請求項１乃至請求項８の何れか１項に記載の結像光学系。
【請求項１０】
前記接合レンズ成分は負の屈折力を有し、
前記負の屈折力を有するレンズ群は、最も物体側に配置された前記接合レンズ成分と、該接合レンズ成分の像側配置された少なくとも1枚の正レンズを有することを特徴とする請求項１乃至請求項９の何れか１項に記載の結像光学系。
【請求項１１】
前記負の屈折力を有するレンズ群は、最も物体側に配置された負の単レンズと、該負の単レンズの像側に続いて配置された前記接合レンズ成分を有することを特徴とする請求項１乃至請求項９の何れか１項に記載の結像光学系。
【請求項１２】
前記負の屈折力を有するレンズ群は、最も像側に配置された前記接合レンズ成分を有することを特徴とする請求項１乃至請求項９の何れか１項に記載の結像光学系。
【請求項１３】
請求項１〜１２の何れか１項に記載の結像光学系と、電子撮像素子と、前記結像光学系を通じて結像した像を前記電子撮像素子で撮像することによって得られた画像データを加工して像の形状を変化させた画像データとして出力する画像処理手段とを有し、前記結像光学系がズームレンズであり、該ズームレンズが、無限遠物点合焦時に次の条件式を満足することを特徴とする電子撮像装置。
０．７＜ｙ07／（ｆｗ・ｔａｎω07w）＜０．９８    …（１７）
ここで、ｙ07は前記電子撮像素子の有効撮像面内（撮像可能な面内）で中心から最も遠い点までの距離（最大像高）をｙ10としたときｙ07＝０．７・ｙ10として表され、ω07wは広角端における前記撮像面上の中心からｙ07の位置に結ぶ像点に対応する物点方向の光軸に対する角度、fwは前記ズームレンズの広角端における全系の焦点距離である。
【発明の詳細な説明】
【技術分野】
【０００１】
本発明は、撮像モジュールに使用される結像光学系、及び該結像光学系を有する電子撮像装置に関するものである。
【背景技術】
【０００２】
デジタルカメラは、高画素数化（高画質化）や小型薄型化において実用レベルを達成している。このようなデジタルカメラは、機能的にも市場的にも銀塩３５ｍｍフィルムカメラにとって代わってしまった。そこで、次なる進化の方向の１つとして、そのままの小ささ薄さで高変倍比とともにさらなる高画素数化が強く求められている。
【０００３】
これまで、高変倍に強いとして用いられてきたズーム光学系として、たとえば、特許文献１の光学系がある。特許文献１の光学系は、正先行型のズーム光学系である。この光学系は、物体側から順に、正の屈折力を有する第１レンズ群、負の屈折力を有する第２レンズ群、正の屈折力を有する第３レンズ群、負の屈折力を有する第４レンズ群、正の屈折力を有する第５レンズ群からなる。そして、実施例には、ズーム比が５乃至１０、広角端におけるＦ値は２．４でありながら高い結像性能を有する光学系が開示されている。
【０００４】
また、色収差を良好に補正しながら光学系の薄型化を図った例として、特許文献２に開示された光学系がある。特許文献２では、光学材料として、従来のガラスにはない特性を有する材料を用いている。この光学系では、従来のガラスと異なる分散特性あるいは部分分散特性を有する透明媒質を用いている。これにより、色収差を良好に補正しながら、レンズ要素を薄くするかレンズ構成枚数を削減するなどして薄型化を実現している。
【０００５】
【特許文献１】特開２００３−２５５２２８号公報
【特許文献２】特開２００６−１４５８２３号公報
【発明の開示】
【発明が解決しようとする課題】
【０００６】
レンズ鏡筒ユニットを収納する方法として、カメラ筐体の厚み（奥行き）方向に収納する方法がある。この方法を用いた構造は、沈胴式鏡筒と呼ばれる。この沈胴式鏡筒は特許文献１の光学系にも適用可能である。しかしながら、特許文献１の光学系では、各レンズ群の光軸方向の厚みが大きい。そのため、沈胴式鏡筒を採用してもカメラ筐体を薄くすることは困難である。また、薄型化を行なった場合、色収差の補正も容易ではない。
【０００７】
また、特許文献２では、透明媒質を用いたレンズの利用（例えば、配置場所）が必ずしも適切ではないため、十分に色収差の補正と薄型化が出来ているとは言い難い。
【０００８】
本発明は、上記従来の課題に鑑みてなされたものであり、薄型であることと高変倍比であることを両立させつつも、高変倍比化において特に厳しく求められる色収差を良好に行なえる結像光学系およびそれを有する電子撮像装置を提供することを目的とする。
【課題を解決するための手段】
【０００９】
上記目的を達成するため、本発明による光学系は、最も物体側に配置されたレンズ群と、該レンズ群の像側に配置された開口絞りと、前記レンズ群と前記開口絞りの間に配置された負の屈折力を有するレンズ群を備え、前記負の屈折力を有するレンズ群が、正レンズＬAPと負レンズＬANが接合された接合レンズ成分を含み、前記レンズ群と前記負の屈折力を有するレンズ群の間隔を変えて変倍を行う結像光学系であって、横軸をνdp、及び縦軸をθgFpとする直交座標系において、
θgFp＝αp×νdp＋βp（但し、αp＝−０．００１６３）
で表される直線を設定したときに、以下の条件式（１）の範囲の下限値であるときの直線、及び上限値であるときの直線で定まる領域と、以下の条件式（２）で定まる領域との両方の領域に、前記正レンズＬAPのθgF及びνdpが含まれることを特徴とするものである。
０．６６５０＜βp＜０．９０００  …（１）
３＜νdp＜２７                  …（２）
ここで、θgFpは部分分散比（ｎg−ｎF)／（ｎF−ｎC）、νdpはアッベ数、（ｎd−1)／（ｎF−ｎC）、ｎd、ｎC、ｎF、ｎgは各々ｄ線、Ｃ線、Ｆ線、ｇ線の屈折率である。
【００１０】
また、本発明の好ましい態様によれば、前記直交座標とは別の、横軸をνd、及び縦軸をθhgpとする直交座標系において、
θhgp＝αhgp×νdp＋βhgp（但し、αhgp＝−０．００２２５）
で表される直線を設定したときに、以下の条件式（３）の範囲の下限値であるときの直線、及び上限値であるときの直線で定まる領域と、以下の条件式（２）で定まる領域との両方の領域に、前記正レンズＬAPのθhgpとνdpが含まれることを特徴とするものである。
０．６２００＜βhgp＜０．９５００  …（３）
３＜νdp＜２７                    …（２）
ここで、θhgpは部分分散比（ｎh−ｎg)／（ｎF−ｎC）、ｎhはｈ線の屈折率である。
【００１１】
また、本発明の好ましい態様によれば、以下の条件を満足することを特徴とするものである。
０．０７≦θgFp−θgFn≦０．５０                …（４）
ここで、θgFp は前記正レンズＬAPの部分分散比（ｎg−ｎF)／（ｎF−ｎC）、θgFn は前記負レンズＬANの部分分散比（ｎg−ｎF)／（ｎF−ｎC）である。
【００１２】
また、本発明の好ましい態様によれば、以下の条件を満足することを特徴とするものである。
０．１０≦θhgp−θhgn≦０．６０                …（５）
ここで、θhgpは前記正レンズＬAPの部分分散比（ｎh−ｎg)／（ｎF−ｎC）、θhgn は前記負レンズＬANの部分分散比（ｎh−ｎg)／（ｎF−ｎC）である。
【００１３】
また、本発明の好ましい態様によれば、以下の条件を満足することを特徴とするものである。
νdp−νdn≦−１０          …（６）
ここで、νdpは前記正レンズＬAPのアッベ数（ｎd−１)／（ｎF−ｎC）、νdnは前記負レンズＬANのアッベ数（ｎd−１)／（ｎF−ｎC）である。
【００１４】
また、本発明の好ましい態様によれば、以下の条件を満足することを特徴とするものである。
１．５５≦ｎdp≦１．８０    …（７）
ここで、ｎdpは前記正レンズＬAPのｄ線に対する屈折率である。
【００１５】
また、本発明の好ましい態様によれば、前記正レンズＬAPの材質はエネルギー硬化型樹脂であり、前記負レンズＬAN上に直接成形する方式で接合レンズを形成することを特徴とするものである。
【００１６】
また、本発明の好ましい態様によれば、前記接合レンズ成分は、接合面が非球面になっていることを特徴とするものである。
【００１７】
また、本発明の好ましい態様によれば、前記正レンズＬAPの面形状は、その近軸曲率半径による球面レンズのときと比べて光軸から離れるほど光束収斂性が弱まる形状であることを特徴とするものである。
【００１８】
また、本発明の好ましい態様によれば、前記接合レンズ成分は負の屈折力を有し、前記負の屈折力を有するレンズ群は、最も物体側に配置された前記接合レンズ成分と、該接合レンズ成分の像側配置された少なくとも１枚の正レンズを有することを特徴とするものである。
【００１９】
また、本発明の好ましい態様によれば、前記負の屈折力を有するレンズ群は、最も物体側に配置された負の単レンズと、該負の単レンズの像側に続いて配置された前記接合レンズ成分を有するものである。
【００２０】
また、本発明の好ましい態様によれば、前記負の屈折力を有するレンズ群は、最も像側に配置された前記接合レンズ成分を有することを特徴とするものである。
【００２１】
また、本発明の電子撮像装置は、上述した本発明のいずれかの結像光学系と、電子撮像素子と、前記結像光学系を通じて結像した像を前記電子撮像素子で撮像することによって得られた画像データを加工して像の形状を変化させた画像データとして出力する画像処理手段とを有し、前記結像光学系がズームレンズであり、該ズームレンズが、無限遠物点合焦時に次の条件式を満足する。
０．７＜ｙ07／（ｆｗ・ｔａｎω07w）＜０．９８    …（１７）
ここで、ｙ07は前記電子撮像素子の有効撮像面内（撮像可能な面内）で中心から最も遠い点までの距離（最大像高）をｙ10としたときｙ07＝０．７・ｙ10として表され、ω07wは広角端における前記撮像面上の中心からｙ07の位置に結ぶ像点に対応する物点方向の光軸に対する角度、fwは前記ズームレンズの広角端における全系の焦点距離である。
【発明の効果】
【００２２】
本発明によれば、光学系の薄型化と高変倍比化を両立させつつ、高変倍比化において特に厳しく求められる色収差が良好に補正された結像光学系を獲得することができる。また、電子撮像装置にこのような結像光学系を用いることで、画像の鮮鋭化、色にじみの発生の防止が図れる。
【発明を実施するための最良の形態】
【００２３】
実施例の説明に先立ち、本実施形態の結像光学系の作用効果について説明する。なお、近軸焦点距離が正の値のレンズを正レンズ、近軸焦点距離が負の値のレンズを負レンズとする。
【００２４】
本実施形態の結像光学系は、最も物体側に配置されたレンズ群と、このレンズ群の像側に配置された開口絞りと、レンズ群と開口絞りの間に配置された負の屈折力を有するレンズ群を備えている。そして、負の屈折力を有するレンズ群が、正レンズＬAPと負レンズＬANが接合された接合レンズ成分を含んでいる。さらに、本実施形態の結像光学系は、最も物体側に配置されたレンズ群と負の屈折力を有するレンズ群の間隔を変えて変倍を行う光学系である。 
【００２５】
そして、本実施形態の結像光学系では、横軸をνdp、及び縦軸をθgFpとする直交座標系において、
θgFp＝αp×νdp＋βp（但し、αp＝−０．００１６３）
で表される直線を設定したときに、以下の条件式（１）の範囲の下限値であるときの直線、及び上限値であるときの直線で定まる領域と、以下の条件式（２）で定まる領域との両方の領域に、前記正レンズＬAPのθgF及びνdpが含まれている。
０．６６５０＜βp＜０．９０００  …（１）
３＜νdp＜２７                  …（２）
ここで、θgFpは部分分散比（ｎg−ｎF)／（ｎF−ｎC）、νdpはアッベ数、（ｎd−1)／（ｎF−ｎC）、ｎd、ｎC、ｎF、ｎgは各々ｄ線、Ｃ線、Ｆ線、ｇ線の屈折率である。
【００２６】
条件式（１）の上限値を上回る場合、二次スペクトルによる軸上色収差が補正過剰となる。そのため、撮像した画像において、画像の鮮鋭さを確保しづらい。また、条件式（１）の下限値を下回る場合、二次スペクトルによる軸上色収差、つまりF線とC線で色消しをしたときのg線の軸上色収差補正が十分でなくなる。そのため、撮像した画像において、画像の鮮鋭さを確保しづらい。
【００２７】
また、条件式（２）の上限値を上回る場合、F線とC線との色消し自体が困難で、ズーム時の色収差変動が大きくなる。そのため、撮像した画像において、画像の鮮鋭さを確保しづらい。下限値を下回る場合も、上限値を上回った場合と同じ問題が生じる。
【００２８】
なお、条件式（１）に代えて、次の条件式（１’）を満足すると、より好ましい。
０．６８００＜βp＜０．８７００           …（１’）
さらに、条件式（１）に代えて、次の条件式（１”）を満足すると、より一層好ましい。
０．６９００＜βp＜０．８５００           …（１”）
【００２９】
ところで、条件（１）（２）を満足する光学材料を、ガラス材料のなかから入手するのは困難である。一方、樹脂など有機材料、あるいは、有機・無機材料であれば、条件（１）（２）を満足する光学材料を容易に実現できる可能性がある。ここで、有機・無機材料とは、有機材料に無機微粒子を拡散させて光学特性を変えた材料のことである。よって、正レンズＬAPの光学材料としては、樹脂など有機材料、あるいは、有機・無機材料を用いるのが良い。
【００３０】
また、正レンズＬAPの光学材料として、条件（１）（２）を満たす光学材料を用いる場合は、光学材料としてエネルギー硬化型樹脂を用いるのが好ましい。そして、接合レンズ成分の製造においては、正レンズＬAPを負レンズＬAN上に直接成形する方式とするのが好ましい。このように、正レンズＬAPにエネルギー硬化型樹脂を用いることで、接合レンズ成分を出来る限り薄く加工（成形）することができる。なお、エネルギー硬化型樹脂としては、紫外線硬化型樹脂あるいはそれにTiO2などの無機微粒子を拡散させた複合材料がある。このように、本実施形態では、接合レンズ成分における接合は、従来のような接合剤（接着材）を用いる方法とは異なっている。
【００３１】
また、本実施形態の結像光学系では、上記の直交座標（横軸をνd、及び縦軸をθgFとする直交座標）とは別の、横軸をνd、及び縦軸をθhgpとする直交座標系において、
θhgp＝αhgp×νdp＋βhgp（但し、αhgp＝−０．００２２５）
で表される直線を設定したときに、以下の条件式（３）の範囲の下限値であるときの直線、及び上限値であるときの直線で定まる領域と、以下の条件式（２）で定まる領域との両方の領域に、前記正レンズＬAPのθhgpとνdpが含まれる。
０．６２００＜βhgp＜０．９５００  …（３）
３＜νdp＜２７                    …（２）
ここで、θhgpは部分分散比（ｎh−ｎg)／（ｎF−ｎC）、ｎhはｈ線の屈折率である。
【００３２】
条件式（３）の上限値を上回る場合、凹レンズに用いたときの二次スペクトルによる軸上色収差、つまりF線とC線で色消しをしたときのｈ線の軸上色収差補正が十分でなくなる。そのため、撮像した画像において、紫の色フレア、色にじみが発生しやすい。また、条件式（３）の下限値を下回る場合、二次スペクトルによる軸上色収差、つまりF線とC線で色消しをしたときのｈ線の軸上色収差補正が十分でなくなる。そのため、撮像した画像において、紫の色フレア、色にじみが発生しやすい。
【００３３】
なお、条件式（３）に代えて、次の条件式（３’）を満足すると、より好ましい。
０．６４００＜βhg＜０．９２００        …（３’）
また、条件式（３）に代えて、次の条件式（３”）を満足すると、より一層好ましい。
０．６７００＜βhg＜０．９０００        …（３”）
【００３４】
また、本実施形態の結像光学系では、以下の条件式（４）を満足するのが好ましい。
０．０７≦θgFp−θgFn≦０．５０                …（４）
ここで、θgFp は前記正レンズＬAPの部分分散比（ｎg−ｎF)／（ｎF−ｎC）、θgFn は前記負レンズＬANの部分分散比（ｎg−ｎF)／（ｎF−ｎC）である。
【００３５】
条件式（４）を満足すると、二次スペクトルによる軸上色収差の補正効果が大きくなる。その結果、撮像した画像において、画像の鮮鋭性が増す。
【００３６】
なお、条件式（４）に代えて、次の条件式（４’）を満足すると、より好ましい。
０．０９≦θgFp−θgFn≦０．４０              …（４’）
また、条件式（４）に代えて、次の条件式（４”）を満足すると、より一層好ましい。
０．１１≦θgFp−θgFn≦０．３０              …（４”）
【００３７】
また、本実施形態の結像光学系では、以下の条件式（５）を満足するのが好ましい。
０．１０≦θhgp−θhgn≦０．６０                …（５）
ここで、θhgpは前記正レンズＬAPの部分分散比（ｎh−ｎg)／（ｎF−ｎC）、θhgn は前記負レンズＬANの部分分散比（ｎh−ｎg)／（ｎF−ｎC）である。
【００３８】
条件式（５）を満足すると、撮像した画像において、色フレアや色にじみを軽減できる。
【００３９】
なお、条件式（５）に代えて、次の条件式（５’）を満足すると、より好ましい。
０．１３≦θhgp−θhgn≦０．５５              …（５’）
また、条件式（５）に代えて、次の条件式（５”）を満足すると、より一層好ましい。
０．１６≦θhgp−θhgn≦０．５０              …（５”）
【００４０】
また、本実施形態の結像光学系では、以下の条件式（６）を満足するのが好ましい。
νdp−νdn≦−１０          …（６）
ここで、νdpは前記正レンズＬAPのアッベ数（ｎd−１)／（ｎF−ｎC）、νdnは前記負レンズＬANのアッベ数（ｎd−１)／（ｎF−ｎC）である。
【００４１】
条件式（６）を満足すると、軸上色収差、倍率色収差のうちのＣ線とＦ線の色消しが良好に行なえる。
【００４２】
なお、条件式（６）に代えて、次の条件式（６’）を満足すると、より好ましい。
νdp−νdn≦−１７          …（６’）
また、条件式（６）に代えて、次の条件式（６”）を満足すると、より一層好ましい。
νdp−νdn≦−２４          …（６”）
【００４３】
また、結像光学系がズーム光学系の場合、高変倍化と薄型化を両立させるためには、負の屈折力を有するレンズ群において、その屈折力を高める必要がある。そこで、本実施形態の結像光学系では、以下の条件式（７）を満足するのが好ましい。
１．５５≦ｎdp≦１．８０    …（７）
ここで、ｎdpは正レンズＬAPのｄ線に対する屈折率である。
【００４４】
負の屈折力を有するレンズ群の正レンズでは、その光学材料のｄ線の屈折率ｎdpはやや低目が好ましい。条件式（７）の上限値を上回ると薄型化の点で不利になりやすい。一方、下限値を下回ると、非点収差を補正する上で不利になりやすい。
【００４５】
なお、条件式（７）に代えて、次の条件式（７’）を満足すると、より好ましい。
１．５８≦ｎdp≦１．７７    …（７’）
また、条件式（７）に代えて、次の条件式（７”）を満足すると、より一層好ましい。
１．６０≦ｎdp≦１．７５    …（７”）
【００４６】
また、本実施形態の結像光学系では、以下の条件式（８）を満足するのが好ましい。
１．５２≦ｎdn≦２．４０    …（８）
ここで、ｎdnは負レンズＬANのｄ線に対する屈折率である。
【００４７】
条件式（８）の上限値を上回ると薄型化の点で不利になりやすい。一方、下限値を下回る非点収差を補正する上で不利になりやすい。
【００４８】
なお、条件式（８）に代えて、次の条件式（８’）を満足すると、より好ましい。
１．５８≦ｎdn≦２．３０    …（８’）
また、条件式（８）に代えて、次の条件式（８”）を満足すると、より一層好ましい。
１．６７≦ｎdn≦２．２０    …（８”）
【００４９】
上述のように、本実施形態の結像光学系では、負の屈折力を有するレンズ群が接合レンズ成分を含んでいる。この接合レンズ成分は、正レンズＬAPと負レンズＬANが接合されたものである。ここで、この接合レンズ成分においては、正レンズＬAPを負レンズＬAN上に直接成形することが好ましい。このような成形方法の場合は、接合面を非球面にすることが容易である。そこで、このような成形方法を用いることで、本実施形態の結像光学系においても、接合レンズ成分の接合面を非球面とするのが好ましい。
【００５０】
本実施形態の結像光学系では、正レンズＬAPに用いられる媒質（光学材料）と負レンズＬANに用いられる媒質（光学材料）とで、アッベ数や部分分散比が異なる。アッベ数や部分分散比が異なる媒質を接合した場合、その接合面を非球面にすると、倍率色収差の像高に関する高次成分や、高次の色収差成分の補正に効果がある。高次の色収差成分としては、色コマ収差、色の球面収差などである。このように、接合面を非球面にすると、通常の空気接触面の非球面の場合と異なる効果を得ることができる。
【００５１】
本実施形態の結像光学系では、開口絞りよりも物体側に負レンズ群が位置している。特に、この負レンズ群の接合面を非球面化した場合、広角側（広角端）における倍率色収差の像高に関する高次成分、色コマ収差の補正について、著しい効果を得ることができる。さらに、接合面の非球面化と共に、前記条件（１）から（６）を満たすとより良い。
【００５２】
ところで、本実施形態の説明では、接合面の形状を下記の式（９）で表す。
ｚ＝ｈ2／〔Ｒ〔１＋｛１−（１＋ｋ）ｈ2／Ｒ2｝1/2〕〕
＋ Ａ4ｈ4＋Ａ6ｈ6＋Ａ8ｈ8＋Ａ10ｈ10＋    ・・・（９）
【００５３】
上述のように、本実施形態の結像光学系は、負の屈折力を有するレンズ群に接合レンズを有する。そして、この接合レンズの接合面に非球面が用いられている。ここで、どのレンズ成分を接合レンズにするかについては、物体側から２番目以降の負レンズ成分を接合レンズにする場合と、物体側から最初の負レンズ成分を接合レンズにする場合とがある。
【００５４】
まず、物体側から２番目以降の負レンズ成分を接合レンズにする場合について説明する。この場合、接合レンズの接合面の形状は上記の式（９）に従う形状である。そして、以下の条件式（１０）あるいは（１１）を満足するのが好ましい。
【００５５】
条件式（１０）は、接合面の近軸曲率半径ＲACが正の値の場合、すなわち、接合レンズ成分が物体側から負レンズＬAN、正レンズＬAPの順に構成されている場合である。この場合、以下の条件式（１０）を満足するのが好ましい。
ｚAC（ｈ）＜ｈ2／〔ＲAC〔１＋｛１−ｈ2／ＲAC2｝1/2〕〕  ・・・（１０）
【００５６】
また、条件式（１１）は、接合面の近軸曲率半径ＲACが負の値の場合、すなわち、接合レンズ成分が物体側から正レンズＬAP、負レンズＬANの順に構成されている場合である。この場合、以下の条件式（１１）を満足するのが好ましい。
ｚAC（ｈ）＞ｈ2／〔ＲAC〔１＋｛１−ｈ2／ＲAC2｝1/2〕〕  ・・・（１１）
【００５７】
なお、条件式（１０）及び（１１）において、ｚAC は接合レンズにおける接合面の形状であって、上記式（９）に従う形状であり、ｈ＝2.5aである。また、aは以下の式（１２）で表される。また、ｙ10 は本発明のズーム光学系の結像位置近傍に配置された電子撮像素子の有効撮像面内（撮像可能な面内）において、中心から最も遠い点までの距離（最大像高）である。また、ｆwは前記ズーム光学系の広角端における全系の焦点距離で、γはズーム比（望遠端での全系焦点距離／広角端での全系焦点距離）である。
a＝(ｙ10)2・log10γ／ｆw    ・・・（１２）
【００５８】
次に、物体側から最初の負レンズ成分を接合レンズにする場合について説明する。この場合は、近軸曲率半径ＲACが正負に関係なく、常に条件式（１１）を満足するのが好ましい。
【００５９】
ｚACが条件式（１０）の上限値を上回る場合、あるいは（１１）の下限値を下回る場合、広角端近傍において、倍率色収差の像高に関する高次成分や、色コマ収差の補正効果を十分に得ることができない。なお、条件式（１０）あるいは条件式（１１）は接合面が非球面の場合に満足することが好ましい。接合面が球面の場合、条件式（１０）及び条件式（１１）において、左辺の値と右辺の値は同じになる。
【００６０】
また、本実施形態の結像光学系は、以下の条件式（１３）を満足するのが好ましい。
０．０５≦｜ｚAP（ｈ）−ｚAC（ｈ）｜／ｔp≦０．９６  ・・・（１３）
ここで、ｚAPは正レンズＬAPの空気接触側面の形状であって、上記式（９）に従う形状であり、ｈ＝2.5aである。また、aは上記の式（１２）で表される。また、ｔpは正レンズＬAPの光軸上の厚みであり、また、常にｚ（０）＝０である。
【００６１】
ｚAPが条件式（１３）の上限値を上回ると、正レンズＬAPを薄く加工するときに周辺部の縁肉確保が困難になる。また、下限を下回ると、色収差の補正が不十分になりやすい。
【００６２】
なお、条件式（１３）に代えて、次の条件式（１３’）を満足すると、より好ましい。
０．１０≦｜ｚAP（ｈ）−ｚAC（ｈ）｜／ｔp≦０．９３・・・（１３’）
さらに、条件式（１３）に代えて、次の条件式（１３”）を満足すると、より一層好ましい。
０．１５≦｜ｚAP（ｈ）−ｚAC（ｈ）｜／ｔp≦０．９・・・（１３”）
【００６３】
また、本実施形態の結像光学系は、以下の条件を満たすようにするとよい。
０．３≦ｔp／ｔn≦１．４        ・・・（１４）
ここで、ｔpは正レンズＬAPの光軸上の厚み、ｔnは負レンズＬANの光軸上の厚みである。
【００６４】
上述のように、本実施形態の結像光学系において、負の屈折力を有するレンズ群は、接合レンズ成分（正レンズＬAPと負レンズＬAN）を有する。この接合レンズ成分は、負の屈折力を有するレンズ群中において、下記ａ乃至ｃのいずれかとなる配置であるほうが好ましい。
ａ．接合レンズ成分を負の屈折力とし、最も物体側に配置する。そして、その像側には少なくとも１枚の正レンズを配置する。
ｂ．最も物体側に負の単レンズを配置する。そして、そのすぐ像側に接合レンズ成分を配置する。
ｃ．最も像側に接合レンズ成分を配置する。
【００６５】
上記の配置であれば、色収差補正、高倍率化、非点収差補正においてそれぞれ高いレベルでの収差補正が実現できるので好ましい。
【００６６】
なお、本実施形態の結像光学系の構成として、負レンズ群よりも物体側に、別のレンズ群を配置した構成も考えられる。そして、この別のレンズ群を正の屈折力とするのが好ましい。このようにすると、接合レンズ成分において接合面を非球面としたときの効果が、より顕著になる。この別のレンズ群は、最も物体側のレンズ群であっても、最も物体側のレンズ群とは別のレンズ群であっても良い。
【００６７】
なお、本実施形態の結像光学系としては、物体側に配置されたレンズ群をＧ１、負の屈折力を有するレンズ群をＧ２としたとき、下記の構成をとることができる。
物体側から順に、レンズ群Ｇ１、レンズ群Ｇ２、正の屈折力を有するレンズ群Ｇ３、正の屈折力を有するレンズ群Ｇ４の４つのレンズ群からなる構成。
【００６８】
物体側から順に、レンズ群Ｇ１、レンズ群Ｇ２、負の屈折力を有するレンズ群Ｇ３、正の屈折力を有するレンズ群Ｇ４の４つのレンズ群からなる構成。
【００６９】
物体側から順に、レンズ群Ｇ１、レンズ群Ｇ２、正の屈折力を有するレンズ群Ｇ３、負の屈折力を有するレンズ群Ｇ４の４つのレンズ群からなる構成。
【００７０】
物体側から順に、レンズ群Ｇ１、レンズ群Ｇ２、正の屈折力を有するレンズ群Ｇ３、正の屈折力を有するレンズ群Ｇ４、負の屈折力を有するレンズ群Ｇ５の５つのレンズ群からなる構成。
【００７１】
物体側から順に、レンズ群Ｇ１、レンズ群Ｇ２、負の屈折力を有するレンズ群Ｇ３、正の屈折力を有するレンズ群Ｇ４、正の屈折力を有するレンズ群Ｇ５の５つのレンズ群からなる構成。
【００７２】
物体側から順に、レンズ群Ｇ１、レンズ群Ｇ２、正の屈折力を有するレンズ群Ｇ３、負の屈折力を有するレンズ群Ｇ４、正の屈折力を有するレンズ群Ｇ５の５つのレンズ群からなる構成。
【００７３】
物体側から順に、レンズ群Ｇ１、レンズ群Ｇ２、正の屈折力を有するレンズ群Ｇ３、正の屈折力を有するレンズ群Ｇ４、正の屈折力を有するレンズ群Ｇ５の５つのレンズ群からなる構成。
【００７４】
ところで、ここで無限遠物体を歪曲収差がない光学系で結像したとする。この場合、結像した像に歪曲がないので、
ｆ＝ｙ／ｔａｎω    ・・・（１５）
が成立する。
ここで、ｙは像点の光軸からの高さ、ｆは結像系の焦点距離、ωは撮像面上の中心からｙの位置に結ぶ像点に対応する物点方向の光軸に対する角度である。
【００７５】
一方、光学系に樽型の歪曲収差がある場合は、
ｆ＞ｙ／ｔａｎω    ・・・（１６）
となる。つまり、ｆとｙとを一定の値とするならば、ωは大きな値となる。
【００７６】
そこで、電子撮像装置には、特に広角端近傍の焦点距離において、意図的に大きな樽型の歪曲収差を有した光学系を用いるのが良い。この場合、歪曲収差を補正しなくて済む分だけ、光学系の広画角化が達成できる。
【００７７】
ただし、物体の像は、樽型の歪曲収差を有した状態で電子撮像素子上に結像する。そこで、電子撮像装置では、電子撮像素子で得られた画像データを、画像処理で加工するようにしている。この加工では、樽型の歪曲収差を補正するように、画像データ（画像の形状）を変化させる。
【００７８】
このようにすれば、最終的に得られた画像データは、物体とほぼ相似の形状を持つ画像データとなる。よって、この画像データに基づいて、物体の画像をＣＲＴやプリンターに出力すればよい。
【００７９】
そこで、結像光学系には、ほぼ無限遠物点合焦時に次の条件式（１７）を満足するものを採用するのがよい。
０．７＜ｙ07／（ｆｗ・ｔａｎω07w）＜０．９８    …（１７）
ここで、ｙ07は電子撮像素子の有効撮像面内（撮像可能な面内）で中心から最も遠い点までの距離（最大像高）をｙ10としたときｙ07＝０．７・ｙ10として表され、ω07wは広角端における撮像面上の中心からｙ07の位置に結ぶ像点に対応する物点方向の光軸に対する角度、fwはズームレンズの広角端における全系の焦点距離である。
【００８０】
上記条件式（１７）はズーム広角端における樽型歪曲の度合いを規定したものである。条件式（１７）を満足すれば、無理なく非点収差の補正が可能になる。また、光学系を肥大化させずに、結像光学系を明るい光学系とすることができる。
【００８１】
なお、樽型に歪んだ像は撮像素子にて光電変換されて、樽型に歪んだ画像データとなる。樽型に歪んだ画像データは、電子撮像装置の信号処理系である画像処理手段にて、電気的に、像の形状変化に相当する加工が施される。このようにすれば、最終的に画像処理手段から出力された画像データを表示装置にて再生したとしても、歪曲が補正されて被写体形状にほぼ相似した画像が得られる。
【００８２】
ここで、条件式（１７）の上限値を上回る場合であって、特に、１に近い値をとると、歪曲収差が光学的に良く補正された画像が得られる。そのため、画像処理手段で行う補正が小さくてすむ。しかしながら、光学系の非点収差の補正が十分に行えない。また、小型化を維持しながら、光学系を広画角化することが困難となる。
【００８３】
一方、条件式（１７）の下限値を下回ると、光学系の歪曲収差による画像歪みを画像処理手段で補正した場合に、画角周辺部の放射方向への引き伸ばし率が高くなりすぎる。その結果、撮像で得た画像において、画像周辺部の鮮鋭度の劣化が目立つようになってしまう。
【００８４】
このように、条件式（１７）を満足することにより、非点収差を良好にすることができる。加えて、光学系の薄型化と大口径比化（例えば、広角端でF/2.8よりも大きくする）が可能となる。
【００８５】
なお、条件式（１７）に代えて、次の条件式（１７’）を満足すると、より好ましい。
０．７３＜ｙ07／（ｆｗ・ｔａｎω07w）＜０．９６    …（１７’）
さらに、条件式（１７）に代えて、次の条件式（１７”）を満足すると、より一層好ましい。
０．７６＜ｙ07／（ｆｗ・ｔａｎω07w）＜０．９５  …（１７”）
【００８６】
次に、本実施形態の結像光学系について述べる。
本実施形態の結像光学系としては、４群構成の結像光学系と、５群構成の結像光学系とがある。４群構成の結像光学系における屈折力配置としては、以下の３つが考えられる。
正・負・(S)・正・正
正・負・(S)・負・正
正・負・(S)・正・負
なお、屈折力配置としては、正・負・(S)・正・正が好ましい、よって、実施例には、この屈折力配置の結像光学系が例示されている。
【００８７】
また、５群構成の結像光学系における屈折力配置は、以下の４つが考えられる。
正・負・(S)・正・正・負
正・負・(S)・正・負・正
正・負・(S)・正・正・正
正・負・負・(S)・正・正
なお、屈折力配置としては、正・負・(S)・正・正・負、あるいは正・負・(S)・正・負・正が好ましい、よって、実施例には、この屈折力配置の結像光学系が例示されている。
【００８８】
また、(S)は開口絞りを示している。開口絞りは、レンズ群とは独立である場合もあれば、そうでない場合もある。
【００８９】
本実施形態の結像光学系は、群数に関係なく、物体側から正・負・正のレンズ群を順に有する。よって、正・負・正の構成を共通としている。さらに、開口絞りに着目すると、開口絞りよりも物体側に正のレンズ群と負のレンズ群を備えている。よって、本実施形態の結像光学系は、正・負・(S)・正の構成を基本構成としているということができる。
【００９０】
そして、この基本構成において、絞りよりも物体側に配置された負のレンズ群に、下記のレンズＬAPを用いている。
【００９１】
なお、開口絞りよりも像側に、更に別のレンズ群を備えている場合は、正のレンズ群の像側、あるいは絞りと正のレンズ群の間に、この別のレンズ群が配置されているとみなすことができる。
【００９２】
本実施形態の結像光学系は、正・負・正の３群構成を根源としている。４群構成の結像光学系は、この３群構成の結像光学系に、正レンズ群あるいは負レンズ群が加わったものである。また、５群構成の結像光学系は、正・負・正・正の４群構成の結像光学系に、正レンズ群あるいは負レンズ群が加わったものである。例えば、４群構成の結像光学系の構成を、物体側の３群（正・負・正）と最終群（正）とする。すると、５群構成の結像光学系は、物体側の３群と最終群の間に、正または負のレンズ群を配置したとみなすことができる。あるいは、５群構成の結像光学系は、最終群のさらに後ろに負のレンズ群を配置したとみなすこともできる。なお、正・負・負・(S)・正・正の構成に関しては、基本である正・負・(S)・正のうちの負のレンズ群を２つに分け、変倍時には別々に移動するようにし、その像側に正のレンズ群を加えたと見なせば良い。
【００９３】
正・負・(S)・正・正の構成では、１番目の正のレンズ群は、１つのレンズ成分を有する。このレンズ成分は、正レンズ１枚、あるいは、正の単レンズと負のレンズを有する。ここで、このレンズ成分が正の単レンズと負のレンズで構成されている場合、このレンズ成分は接合レンズであっても良い。
【００９４】
開口絞りよりも物体側にある負のレンズ群には、条件式（１）（２）を満足するレンズＬAPが用いられている。なお、レンズＬAPは、（１）に代わって（１’）もしくは（１”）、また（２）に代わって（２’）もしくは（２”）を満たすレンズであっても良い。なお、負のレンズ群が複数のレンズを接合してなる接合レンズを有し、この接合レンズにレンズＬAPが用いられることが特に好ましい。なお、レンズＬAPが用いられている接合レンズでは、接合面が非球面であることが好ましい。
【００９５】
ここで、接合レンズは、正レンズと負レンズの接合レンズで構成されているのが好ましい。そして、上述のように、この接合レンズの正レンズには、条件式（１）（２）を満足するレンズＬAPが用いられている。なお、レンズＬAPは、（１）に代わって（１’）もしくは（１”）、また（２）に代わって（２’）もしくは（２”）を満たすレンズであっても良い。
【００９６】
２番目の正のレンズ群は、１つのレンズ成分を有する。このレンズ成分は、正レンズと負レンズを有する。正レンズと負レンズは接合されていても良いが、接合されていなくても（各々が分離していても）良い。いずれにせよ、正レンズが物体側に位置するのが良い。なお、正レンズと負レンズが分離して配置されている場合、正レンズと負レンズのそれぞれを、１つのレンズ成分と見なすことができる。この場合、負のレンズ群は２つのレンズ成分で構成されているといえる。
【００９７】
また、２番目の正のレンズ群は、更に別のレンズ成分を備えていても良い。この別のレンズ成分は、接合レンズを有するレンズ成分よりも物体側に配置されているのが良い。なお、２番目の正のレンズ群は、最も像側に負レンズがある構成が好ましい。
【００９８】
３番目の正のレンズ群は１つのレンズ成分を有する。このレンズ成分は単レンズで構わない。更に別のレンズ成分を備えていても良い。
【００９９】
この結像光学系では、負のレンズ群に続いて２つの正のレンズ群が配置されている。上述のように、変形例の光学系は、２番目と３番目の正のレンズ群の間に、別のレンズ群が配置されている。この別のレンズ群は、１つのレンズ成分を有する。このレンズ成分は単レンズで構成すればよい。
【０１００】
続いて、群構成ごとに説明する。まず、４群構成の結像光学系について説明する。４群構成の結像光学系としては、物体側から順に、正の第１レンズ群Ｇ１、負の第２レンズ群Ｇ２、開口絞り、正の第３レンズ群Ｇ３、正の第４レンズ群Ｇ４という４つのレンズ群からなる。
【０１０１】
正の第１レンズ群Ｇ１は１つのレンズ成分を有する。このレンズ成分は、正の単レンズか、正レンズと負レンズの接合レンズで構成されている。接合レンズは、物体側から負レンズ、正レンズの順となるように構成するのが好ましい。
【０１０２】
負の第２レンズ群Ｇ２は２つのレンズ成分か３つのレンズ成分を有する。いずれの場合であっても、そのうちの１つのレンズ成分は、正レンズと負レンズで構成されている。
【０１０３】
レンズ成分が２つの場合、２つのレンズ成分のうち、一方のレンズ成分は負のレンズ成分であることが好ましい。また、他方のレンズ成分は正レンズと負レンズの接合レンズで構成されている。
【０１０４】
一方のレンズ成分が負の単レンズの場合、一方のレンズ成分は他方のレンズ成分よりも物体側に位置する。また、一方のレンズが接合レンズの場合、一方のレンズ成分は他方のレンズ成分よりも像側に位置する。この時、一方のレンズ成分は、正レンズと負レンズの接合レンズで構成されている。
【０１０５】
レンズ成分が３つの場合、上述のように、１つのレンズ成分は正レンズと負レンズで構成されている。このレンズ成分は、正レンズと負レンズの接合レンズで構成されている。接合レンズは、物体側から正レンズ、負レンズの順となるように構成するのが好ましい。残りの２つのレンズ成分は、それぞれ正の単レンズと負の単レンズで構成されている。
【０１０６】
また、負の第２レンズ群Ｇ２の少なくとも１つの正レンズには、条件（１）、（２）を満足するレンズＬAPが用いられている。なお、レンズＬAPは、（１）に代わって（１’）もしくは（１”）、また（２）に代わって（２’）もしくは（２”）を満たすレンズであっても良い。なお、レンズＬAPが用いられている接合レンズでは、接合面が非球面であることが好ましい。
【０１０７】
正の第３レンズ群Ｇ３は２つのレンズ成分を有する。２つのレンズ成分のうち、一方のレンズ成分は正のレンズ成分である。また、他方のレンズ成分は負レンズ、あるいは正レンズと負レンズの接合レンズで構成されている。また、一方のレンズ成分が他方のレンズ成分よりも物体側に位置するのが良い。また、正の第３レンズ群Ｇ３の最も像側は負レンズとするのが良い。
【０１０８】
ここで、一方のレンズ成分は、１つの正レンズで構成されている。一方のレンズ成分が１つの正レンズで構成されている場合、一方のレンズ成分は正の単レンズでも構わない。
【０１０９】
また、他方のレンズ成分は、負の単レンズ、あるいは接合レンズで構成されている。他方のレンズ成分が接合レンズで構成されている場合、この接合レンズは、物体側から正レンズ、負レンズの順となるように構成するのが好ましい。このように、接合レンズの最も像側は負レンズであるのが好ましい。
【０１１０】
このように、正の第３レンズ群Ｇ３は、正のレンズ成分（一方のレンズ成分）、接合レンズを有するレンズ成分（他方のレンズ成分）の順に配置されたレンズ成分を有し、接合レンズの最も像側が負レンズになっている。
【０１１１】
あるいは、一方のレンズ成分は両凸形状にし、他方のレンズ成分は物体側に凸のメニスカス形状にするのが好ましい。そして、一方のレンズ成分が他方のレンズ成分よりも物体側に位置するのが良い。また、接合レンズの最も像側は負レンズになっている。
【０１１２】
正の第４レンズ群Ｇ４は１つのレンズ成分を有する。このレンズ成分は、１つの正レンズで構成されている。このレンズ成分は正の単レンズでもかまわない。
【０１１３】
次に、５群構成の結像光学系について説明する。１つ目のタイプの結像光学系は、物体側から順に、正の第１レンズ群Ｇ１、負の第２レンズ群Ｇ２、開口絞り、正の第３レンズ群Ｇ３、正の第４レンズ群Ｇ４、負の第５レンズ群Ｇ５という５つのレンズ群からなる。
【０１１４】
正の第１レンズ群Ｇ１は１つのレンズ成分を有する。このレンズ成分は、正レンズと負レンズの接合レンズで構成されている。接合レンズは、物体側から負レンズ、正レンズの順となるように構成するのが好ましい。
【０１１５】
負の第２レンズ群Ｇ２は２つのレンズ成分を有する。２つのレンズ成分のうち、一方のレンズ成分は負のレンズ成分であることが好ましい。また、他方のレンズ成分は正レンズと負レンズの接合レンズで構成されている。接合レンズは、物体側から負レンズ、正レンズの順となるように構成するのが好ましい。そして、一方のレンズ成分は他方のレンズ成分よりも物体側に位置する。
【０１１６】
また、負の第２レンズ群Ｇ２の正レンズには、条件（１）、（２）を満足するレンズＬAPが用いられている。なお、レンズＬAPは、（１）に代わって（１’）もしくは（１”）、また（２）に代わって（２’）もしくは（２”）を満たすレンズであっても良い。なお、レンズＬAPが用いられている接合レンズでは、接合面が非球面であることが好ましい。
【０１１７】
正の第３レンズ群Ｇ３は２つのレンズ成分を有する。２つのレンズ成分のうち、一方のレンズ成分は正のレンズ成分である。また、他方のレンズ成分は正レンズと負レンズの接合レンズで構成されている。このとき、一方のレンズ成分が他方のレンズ成分よりも物体側に位置するのが良い。
【０１１８】
ここで、一方のレンズ成分は、１つの正レンズで構成されている。この一方のレンズ成分は、正の単レンズでも構わない。また、他方のレンズ成分における接合レンズは、物体側から正レンズ、負レンズの順となるように構成するのが好ましい。
【０１１９】
このように、正の第３レンズ群Ｇ３は、正のレンズ成分（一方のレンズ成分）、接合レンズを有するレンズ成分（他方のレンズ成分）の順に配置されたレンズ成分を有し、接合レンズの最も像側が負レンズになっている。
【０１２０】
あるいは、一方のレンズ成分は両凸形状にし、他方のレンズ成分は物体側に凸のメニスカス形状にするのが好ましい。そして、一方のレンズ成分が他方のレンズ成分よりも物体側に位置するのが良い。また、接合レンズの最も像側は負レンズになっている。
【０１２１】
正の第４レンズ群Ｇ４は１つのレンズ成分を有する。このレンズ成分は１つの正レンズで構成されている。このレンズ成分は、正の単レンズでも構わない。
【０１２２】
負の第５レンズ群Ｇ５は１つのレンズ成分を有する。このレンズ成分は、１つの負レンズで構成されている。このレンズ成分は、負の単レンズでもかまわない。
【０１２３】
２つ目のタイプの結像光学系は、物体側から順に、正の第１レンズ群Ｇ１、負の第２レンズ群Ｇ２、開口絞り、正の第３レンズ群Ｇ３、負の第４レンズ群Ｇ４、正の第５レンズ群Ｇ５という５つのレンズ群からなる。
【０１２４】
正の第１レンズ群Ｇ１は３つのレンズ成分を有する。第１のレンズ成分は負のレンズ成分である。第１のレンズ成分は、１つの負レンズで構成されている。この一方のレンズ成分は、負の単レンズでも構わない。
【０１２５】
第２のレンズ成分と第３のレンズ成分は、正のレンズ成分である。これらのレンズ成分は、１つの正レンズで構成されている。また、これらのレンズ成分は、正の単レンズでも構わない。そして、物体側から、第１のレンズ成分、第２のレンズ成分、第３のレンズ成分の順となるように構成するのが好ましい。 
【０１２６】
負の第２レンズ群Ｇ２は４つのレンズ成分を有する。第１のレンズ成分は、正レンズと負レンズで構成されている。この第１のレンズ成分は、正レンズと負レンズの接合レンズで構成されている。接合レンズは、物体側から正レンズ、負レンズの順となるように構成するのが好ましい。
【０１２７】
第２のレンズ成分と第３のレンズ成分は負のレンズ成分である。一方、第４のレンズ成分は正のレンズ成分である。これらのレンズ成分は、１つの負レンズあるいは正レンズで構成されている。また、これらのレンズ成分は、負の単レンズあるいは正の単レンズでも構わない。そして、物体側から、第１のレンズ成分、第２のレンズ成分、第３のレンズ成分、第４のレンズ成分の順となるように構成するのが好ましい。
【０１２８】
また、負の第２レンズ群Ｇ２の正レンズには、条件（１）、（２）を満足するレンズＬAPが用いられている。なお、レンズＬAPは、（１）に代わって（１’）もしくは（１”）、また（２）に代わって（２’）もしくは（２”）を満たすレンズであっても良い。なお、レンズＬAPが用いられている接合レンズでは、接合面が非球面であることが好ましい。
【０１２９】
正の第３レンズ群Ｇ３は２つのレンズ成分を有する。２つのレンズ成分のうち、一方のレンズ成分は正のレンズ成分である。また、他方のレンズ成分は正レンズと負レンズの接合レンズで構成されている。このとき、一方のレンズ成分が他方のレンズ成分よりも物体側に位置するのが良い。
【０１３０】
ここで、一方のレンズ成分は、１つの正レンズで構成されている。この一方のレンズ成分は、正の単レンズでも構わない。また、他方のレンズ成分における接合レンズは、物体側から負レンズ、正レンズの順となるように構成するのが好ましい。
【０１３１】
負の第４レンズ群Ｇ４は１つのレンズ成分を有する。このレンズ成分は、正レンズと負レンズの接合レンズで構成されている。接合レンズは、物体側から負レンズ、正レンズの順となるように構成するのが好ましい。
【０１３２】
正の第５レンズ群Ｇ５は２つのレンズ成分を有する。２つのレンズ成分のうち、一方のレンズ成分は正のレンズ成分である。また、他方のレンズ成分は正レンズと負レンズの接合レンズで構成されている。このとき、一方のレンズ成分が他方のレンズ成分よりも物体側に位置するのが良い。
【０１３３】
ここで、一方のレンズ成分は、１つの正レンズで構成されている。この一方のレンズ成分は、正の単レンズでも構わない。また、他方のレンズ成分における接合レンズは、物体側から正レンズ、負レンズの順となるように構成するのが好ましい。
【０１３４】
また、上述したように、結像光学系で発生した歪曲収差を電子撮像装置の画像処理機能にて補正すれば、さらに他の収差を良好に補正できると同時に、さらに広角化することも可能である。
【０１３５】
なお、これまで述べてきた各結像光学系において、条件式（１）、（２）を満たすレンズは、上述のように正レンズであるのが好ましい。なお、この正レンズは、（１）に代わって（１’）もしくは（１”）、また（２）に代わって（２’）もしくは（２”）を満たすのが好ましい。
【０１３６】
また、これまで述べてきた各結像光学系はズームレンズである。このようなズームレンズでは、変倍時には各々のレンズ群の相対的間隔が変化する光学系であるのが好ましい。
【０１３７】
なお、各結像光学系はプリズムを含んでいても良い。各結像光学系のうち、最も物体側のレンズ群がプリズムを含んでいる場合は、広角端から望遠端までの変倍時に、最も物体側のレンズ群は位置が固定であるのが好ましい。また、最も物体側のレンズ群にプリズムを含まない場合は、広角端から望遠端までの変倍時に、最も物体側のレンズ群は光軸に沿って像側に凸状の軌跡を描くか又は物体側に単調に移動する。
【０１３８】
また、広角端から望遠端への変倍に伴って、物体側から２番目の正レンズ群が物体側に単調に移動する。
【０１３９】
なお、１つのレンズの屈折力を、複数のレンズに負担させることができる。よって、上記の各レンズ群において、例えば、１つのレンズを２つのレンズに置き換えることもできる。ただし、小型化・薄型化の観点から、置き換えるレンズの個数は２つとするのが好ましい。なお、置き換えは各レンズ群において行っても良いが、小型化・薄型化の観点から、置き換えを行うレンズ群の数は少ないほうが良い。
【０１４０】
また、接合レンズにレンズＬAPを用いる場合、レンズＬAPはレンズＬANと接合することになる。このとき、レンズＬAPの光軸中心厚は、レンズＬANに比べて薄くするのが好ましい。そして、レンズＬAPの光軸中心厚ｔ１が、次の条件式（１８）を満足することが好ましい。
０．１＜ｔ１＜２．５    …（１８）
【０１４１】
上記条件を満足することで、光学系の小型化が実現できる。また、このレンズＬAPを成形によって得る場合、安定した成形が行える。
【０１４２】
なお、条件式（１８）に代えて、次の条件式（１８’）を満足すると、より好ましい。
０．２＜ｔ１＜２．０    …（１８’）
さらに、条件式（１８）に代えて、次の条件式（１８”）を満足すると、より一層好ましい。
０．３＜ｔ１＜１．５    …（１８”）
【０１４３】
なお、レンズＬAPは、少なくとも一方の面が非球面であるのがよい。両面が非球面であるとなおよい。
【０１４４】
ところで、２次スペクトルによる色収差には、軸上色収差（焦点位置の色収差）と倍率色収差がある。このうち、上記の条件や構成は、ズーム全域の軸上色収差と望遠側の倍率色収差の補正には大変有効である一方で、画角などの仕様によっては広角側の倍率色収差に対して逆効果になることがある。しかしながら、倍率色収差のような像高に関する高次成分の収差については、別の手段によって改善することができる。一例としては、画像処理によって収差を改善する手段がある。
【０１４５】
ここで、電子撮像装置には、上記の結像光学系、電子撮像素子、画像処理ユニットが搭載されているとする。そして、画像処理ユニットは、画像データを加工して、形状を変化させた画像データとして出力することが可能になっている。このような電子撮像装置を用いて、被写体の像を撮像する。撮像によって得られた画像データは、画像処理ユニットによって色分解され、色ごとの画像データになる。続いて、各々の画像データごとに、形状（被写体の像の大きさ）を変化させた後、これらの画像データを合成する。そのことにより、倍率色収差による画像周辺部の鮮鋭度劣化や、色にじみ発生を防ぐことが出来る。この方法は、特に色分解用モザイクフィルターを設けた電子撮像素子を有する電子撮像装置に対して有効である。なお、電子撮像装置が複数の（色ごとに）電子撮像素子を有する場合は、得られた画像データに対して色分解を行う必要はなくなる。
【０１４６】
本発明の結像光学系は、以上述べた条件式や構成上の特徴を、個々に、満足あるいは備えることにより、結像光学系の小型化・薄型化をともに達成することが可能となると共に、良好な収差補正が実現できる。また、本発明の結像光学系は、上記条件式や構成上の特徴を、組み合わせて備える（満足する）こともできる。この場合、結像光学系の一層の小型化・薄型化、あるいは、より良好な収差補正と光学系の広角化を達成できる。
【０１４７】
また、本発明の結像光学系を有する電子撮像装置は、このような結像光学系を備えることにより、撮像された画像において、画像の鮮鋭化、色にじみの防止が図れる。
【０１４８】
本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。なお、レンズ断面図に記載されているｒ１，ｒ２、…における数字、及びｄ１，ｄ２…における数字は、後述する数値データにおける面番号の欄の数字に対応している。
【０１４９】
図２は実施例１にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１５０】
実施例１のズームレンズは、図１に示すように、物体側より順に、第１レンズ群Ｇ１と、第２レンズ群Ｇ２と、開口絞りＳと、第３レンズ群Ｇ３と、第４レンズ群Ｇ４を有している。なお、以下全ての実施例において、レンズ断面図中、ＬＰＦはローパスフィルター、ＣＧはカバーガラス、Ｉは電子撮像素子の撮像面を示している。
【０１５１】
第１レンズ群Ｇ１は、物体側に凸面を向けた負メニスカスレンズＬ１と正両凸レンズＬ２との接合レンズで構成されており、全体で正の屈折力を有している。
【０１５２】
第２レンズ群Ｇ２は、物体側に凸面を向けた負メニスカスレンズＬ３、像側に凸面を向けた正メニスカスレンズＬ４と像側に凸面を向けた負メニスカスレンズＬ５との接合レンズで構成されており、全体で負の屈折力を有している。像側に凸面を向けた正メニスカスレンズＬ４は正レンズＬAPに対応し、像側に凸面を向けた負メニスカスレンズＬ５は負レンズＬANに対応する。
【０１５３】
第３レンズ群Ｇ３は、正両凸レンズＬ６、物体側に凸面を向けた正メニスカスレンズＬ７と物体側に凸面を向けた負メニスカスレンズＬ８との接合レンズで構成されており、全体で正の屈折力を有している。
【０１５４】
第４レンズ群Ｇ４は、正両凸レンズＬ９で構成されており、全体で正の屈折力を有している。
【０１５５】
広角端から望遠端へと変倍する際には、第１レンズ群Ｇ１は一旦像側に移動したあと移動方向が反転して物体側へ移動し、第２レンズ群Ｇ２は一旦像側に移動したあと移動方向が反転して物体側へ移動し、第３レンズ群Ｇ３は開口絞りＳと一体的に物体側へ移動し、第４レンズ群Ｇ４は一旦物体側に移動したあと移動方向が反転して像側へ移動する。
【０１５６】
非球面は、第１レンズ群Ｇ１中の正両凸レンズＬ２の像側の面、第２レンズ群Ｇ２中の像側に凸面を向けた正メニスカスレンズＬ４の両面、像側に凸面を向けた負メニスカスレンズＬ５の像側の面、第３レンズ群Ｇ３中の正両凸レンズＬ６の両側の面、第４レンズ群Ｇ４中の正両凸レンズＬ９の物体側の面に設けられている。このように、本実施例では、正レンズＬAPと負レンズＬANの接合面に非球面が用いられている。
【０１５７】
次に、本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５８】
図４は実施例２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１５９】
実施例２のズームレンズは、図３に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
【０１６０】
第１レンズ群Ｇ１は、物体側に凸面を向けた負メニスカスレンズＬ１と正両凸レンズＬ２との接合レンズで構成されており、全体で正の屈折力を有している。
【０１６１】
第２レンズ群Ｇ２は、負両凹レンズＬ３、負両凹レンズＬ４と正両凸レンズＬ５との接合レンズで構成されており、全体で負の屈折力を有している。正両凸レンズＬ５は正レンズＬAPに対応し、負両凹レンズＬ４は負レンズＬANに対応する。
【０１６２】
第３レンズ群Ｇ３は、正両凸レンズＬ６、物体側に凸面を向けた正メニスカスレンズＬ７と物体側に凸面を向けた負メニスカスレンズＬ８との接合レンズで構成されており、全体で正の屈折力を有している。
【０１６３】
第４レンズ群Ｇ４は、物体側に凸面を向けた正メニスカスレンズＬ９で構成されており、全体で正の屈折力を有している。
【０１６４】
第５レンズ群Ｇ５は、像側に凸面を向けた負メニスカスレンズＬ１０で構成されており、全体で負の屈折力を有している。
【０１６５】
広角端から望遠端へと変倍する際には、第１レンズ群Ｇ１は一旦像側に移動したあと移動方向が反転して物体側へ移動し、第２レンズ群Ｇ２は像側へ移動し、第３レンズ群Ｇ３は開口絞りＳと一体的に物体側へ移動し、第４レンズ群Ｇ４は一旦物体側に移動したあと移動方向が反転して像側へ移動し、第５レンズ群Ｇ５は固定である。
【０１６６】
非球面は、第１レンズ群Ｇ１中の正両凸レンズＬ２の像側の面、第２レンズ群Ｇ２中の負両凹レンズＬ４の両面、正両凸レンズＬ５の像側の面、第３レンズ群Ｇ３中の正両凸レンズＬ６の両側の面、第４レンズ群Ｇ４中の物体側に凸面を向けた正メニスカスレンズＬ９の物体側の面、第５レンズ群Ｇ５中の像側に凸面を向けた負メニスカスレンズＬ１０の物体側の面に設けられている。このように、本実施例では、正レンズＬAPと負レンズＬANの接合面に非球面が用いられている。
【０１６７】
次に、本発明の実施例３にかかるズームレンズについて説明する。図５は本発明の実施例３にかかるズームレンズの無限遠物点合焦時の光学構成を示す光軸に沿う断面図であり
、（ａ）は広角端、（ｂ）は中間焦点距離状態、（ｃ）は望遠端での断面図である。
【０１６８】
図６は実施例３にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１６９】
実施例３のズームレンズは、図５に示すように、物体側より順に、第１レンズ群Ｇ１と、第２レンズ群Ｇ２と、開口絞りＳと、第３レンズ群Ｇ３と、第４レンズ群Ｇ４とを有している。
【０１７０】
第１レンズ群Ｇ１は、物体側に凸面を向けた負メニスカスレンズＬ１と正両凸レンズＬ２との接合レンズで構成されており、全体で正の屈折力を有している。
【０１７１】
第２レンズ群Ｇ２は、負両凹レンズＬ３と物体側に凸面を向けた正メニスカスレンズＬ４との接合レンズ、像側に凸面を向けた負メニスカスレンズＬ５と像側に凸面を向けた正メニスカスレンズＬ６との接合レンズで構成されており、全体で負の屈折力を有している。凸面を向けた正メニスカスレンズＬ４は正レンズＬAPに対応し、負両凹レンズＬ３は負レンズＬANに対応する。
【０１７２】
第３レンズ群Ｇ３は、正両凸レンズＬ７、物体側に凸面を向けた正メニスカスレンズＬ８と物体側に凸面を向けた負メニスカスレンズＬ９との接合レンズで構成されており、全体で正の屈折力を有している。
【０１７３】
第４レンズ群Ｇ４は、物体側に凸面を向けた正メニスカスレンズＬ１０で構成されており、全体で正の屈折力を有している。
【０１７４】
広角端から望遠端へと変倍する際には、第１レンズ群Ｇ１は物体側へ移動し、第２レンズ群Ｇ２は像側へ移動し、第３レンズ群Ｇ３は開口絞りＳと一体的に物体側へ移動し、第４レンズ群Ｇ４は一旦物体側に移動したあと移動方向が反転して像側へ移動する。
【０１７５】
非球面は、第１レンズ群Ｇ１中の正両凸レンズＬ２の像側の面、第２レンズ群Ｇ２中の負両凹レンズＬ３の両面、物体側に凸面を向けた正メニスカスレンズＬ４の像側の面、第３レンズ群Ｇ３中の正両凸レンズＬ６の両側の面、第４レンズ群Ｇ４中の物体側に凸面を向けた正メニスカスレンズＬ９の物体側の面に設けられている。このように、本実施例では、正レンズＬAPと負レンズＬANの接合面に非球面が用いられている。
【０１７６】
次に、本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１７７】
図８は実施例４にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１７８】
実施例４のズームレンズは、図７に示すように、物体側より順に、第１レンズ群Ｇ１と、第２レンズ群Ｇ２と、開口絞りＳと、第３レンズ群Ｇ３と、第４レンズ群Ｇ４を有している。
【０１７９】
第１レンズ群Ｇ１は、物体側に凸面を向けた負メニスカスレンズＬ１と物体側に凸面を向けた正メニスカスレンズＬ２との接合レンズで構成されており、全体で正の屈折力を有している。
【０１８０】
第２レンズ群Ｇ２は、物体側に凸面を向けた負メニスカスレンズＬ３、像側に凸面を向けた正メニスカスレンズＬ４と負両凹レンズ（平凹レンズに近い）Ｌ５との接合レンズ、正両凸レンズＬ６で構成されており、全体で負の屈折力を有している。像側に凸面を向けた正メニスカスレンズＬ３は正レンズＬAPに対応し、像側に凸面を向けた負メニスカスレンズＬ４は負レンズＬANに対応する。
【０１８１】
第３レンズ群Ｇ３は、正両凸レンズＬ７、物体側に凸面を向けた正メニスカスレンズＬ８と物体側に凸面を向けた負メニスカスレンズＬ９との接合レンズで構成されており、全体で正の屈折力を有している。
【０１８２】
第４レンズ群Ｇ４は、物体側に凸面を向けた正メニスカスレンズＬ１０で構成されており、全体で正の屈折力を有している。
【０１８３】
広角端から望遠端へと変倍する際には、第１レンズ群Ｇ１は一旦像側に移動したあと移動方向が反転して物体側へ移動し、第２レンズ群Ｇ２は一旦像側に移動したあと移動方向が反転して物体側へ移動し、第３レンズ群Ｇ３は開口絞りＳと一体的に物体側へ移動し、第４レンズ群Ｇ４は一旦物体側に移動したあと移動方向が反転して像側へ移動する。
【０１８４】
非球面は、第２レンズ群Ｇ２中の像側に凸面を向けた正メニスカスレンズＬ３の両面、負両凹レンズＬ５の像側の面、第３レンズ群Ｇ３中の正両凸レンズＬ７の両側の面、第４レンズ群Ｇ４中の物体側に凸面を向けた正メニスカスレンズＬ１０の物体側の面に設けられている。このように、本実施例では、正レンズＬAPと負レンズＬANの接合面に非球面が用いられている。
【０１８５】
次に、本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１８６】
図１０は実施例５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１８７】
実施例５のズームレンズは、図９に示すように、物体側より順に、第１レンズ群Ｇ１と、第２レンズ群Ｇ２と、開口絞りＳと、第３レンズ群Ｇ３と、第４レンズ群Ｇ４とを有している。
【０１８８】
第１レンズ群Ｇ１は、物体側に凸面を向けた負メニスカスレンズＬ１と物体側に凸面を向けた正メニスカスレンズＬ２との接合レンズで構成されており、全体で正の屈折力を有している。
【０１８９】
第２レンズ群Ｇ２は、正両凸レンズＬ３と負両凹レンズＬ４との接合レンズ、像側に凸面を向けた正メニスカスレンズＬ５、正両凸レンズＬ６で構成されており、全体で負の屈折力を有している。正両凸レンズＬ３は正レンズＬAPに対応し、負両凹レンズＬ４は負レンズＬANに対応する。
【０１９０】
第３レンズ群Ｇ３は、正両凸レンズＬ７、物体側に凸面を向けた正メニスカスレンズＬ８と物体側に凸面を向けた負メニスカスレンズＬ９との接合レンズで構成されており、全体で正の屈折力を有している。
【０１９１】
第４レンズ群Ｇ４は、物体側に凸面を向けた正メニスカスレンズＬ１０で構成されており、全体で正の屈折力を有している。
【０１９２】
広角端から望遠端へと変倍する際には、第１レンズ群Ｇ１は一旦像側に移動したあと移動方向が反転して物体側へ移動し、第２レンズ群Ｇ２は一旦像側に移動したあと移動方向が反転して物体側へ移動し、第３レンズ群Ｇ３は開口絞りＳと一体的に物体側へ移動し、第４レンズ群Ｇ４は一旦物体側に移動したあと移動方向が反転して像側へ移動する。なお、第２レンズ群Ｇ２は、中間での位置と望遠端での位置の差はわずかである。
【０１９３】
非球面は、第２レンズ群Ｇ２中の正両凸レンズＬ３の両面、負両凹レンズＬ５の像側の面、第３レンズ群Ｇ３中の正両凸レンズＬ７の両側の面、第４レンズ群Ｇ４中の物体側に凸面を向けた正メニスカスレンズＬ１０の物体側の面に設けられている。このように、本実施例では、正レンズＬAPと負レンズＬANの接合面に非球面が用いられている。
【０１９４】
次に、本発明の実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１９５】
図１２は実施例６にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１９６】
実施例６のズームレンズは、図１１に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
【０１９７】
第１レンズ群Ｇ１は、物体側に凸面を向けた負メニスカスレンズＬ１、物体側に凸面を向けた正メニスカスレンズＬ２、物体側に凸面を向けた正メニスカスレンズＬ３で構成されており、全体で正の屈折力を有している。
【０１９８】
第２レンズ群Ｇ２は、正両凸レンズＬ４と負両凹レンズＬ５との接合レンズ、負両凹レンズＬ６、負両凹レンズＬ７、正両凸レンズＬ８で構成されており、全体で負の屈折力を有している。正両凸レンズＬ４は正レンズＬAPに対応し、負両凹レンズＬ５は負レンズＬANに対応する。
【０１９９】
第３レンズ群Ｇ３は、物体側に凸面を向けた正メニスカスレンズＬ９、物体側に凸面を向けた負メニスカスレンズＬ１０と正両凸レンズＬ１１との接合レンズで構成されており、全体で正の屈折力を有している。
【０２００】
第４レンズ群Ｇ４は、負両凹レンズＬ１２と物体側に凸面を向けた正メニスカスレンズＬ１３との接合レンズで構成されており、全体で正の屈折力を有している。
【０２０１】
第５レンズ群Ｇ５は、正両凸レンズＬ１４、像側に凸面を向けた正メニスカスレンズＬ１５と像側に凸面を向けた負メニスカスレンズＬ１６の接合レンズで構成されており、全体で正の屈折力を有している。
【０２０２】
広角端から望遠端へと変倍する際には、第１レンズ群Ｇ１は一旦像側に移動したあと移動方向が反転して物体側へ移動し、第２レンズ群Ｇ２は像側へ移動し、開口絞りＳは固定、第３レンズ群Ｇ３は物体側へ移動し、第４レンズ群Ｇ４は一旦物体側に移動したあと移動方向が反転して像側へ移動し、第５レンズ群Ｇ５は一旦物体側に移動したあと移動方向が反転して像側へ移動する。
【０２０３】
非球面は、第２レンズ群Ｇ２中の正両凸レンズＬ４の両面、負両凹レンズＬ７の物体側の面、第３レンズ群Ｇ３中の物体側に凸面を向けた正メニスカスレンズＬ９の物体側の面、第５レンズ群Ｇ５中の正両凸レンズＬ１４の物体側の面に設けられている。このように、本実施例では、正レンズＬAPと負レンズＬANの接合面に非球面が用いられている。
【０２０４】
次に、本発明の実施例７にかかるズームレンズについて説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０２０５】
図１４は実施例７にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２０６】
実施例７のズームレンズは、図１３に示すように、物体側より順に、第１レンズ群Ｇ１と、第２レンズ群Ｇ２と、開口絞りＳと、第３レンズ群Ｇ３と、第４レンズ群Ｇ４とを有している。
【０２０７】
第１レンズ群Ｇ１は、正両凸レンズＬ１で構成されており、全体で正の屈折力を有している。
【０２０８】
第２レンズ群Ｇ２は、負両凹レンズＬ２、像側に凸面を向けた正メニスカスレンズＬ３と負両凹レンズＬ４との接合レンズで構成されており、全体で負の屈折力を有している。像側に凸面を向けた正メニスカスレンズＬ３は正レンズＬAPに対応し、負両凹レンズＬ４は負レンズＬANに対応する。
【０２０９】
第３レンズ群Ｇ３は、正両凸レンズＬ５、物体側に凸面を向けた負メニスカスレンズＬ６で構成されており、全体で正の屈折力を有している。
【０２１０】
第４レンズ群Ｇ４は、正両凸レンズＬ７で構成されており、全体で正の屈折力を有している。
【０２１１】
広角端から望遠端へと変倍する際には、第１レンズ群Ｇ１は物体側へ移動し、第２レンズ群Ｇ２は物体側へ移動し、第３レンズ群Ｇ３は開口絞りＳと一体的に物体側へ移動し、第４レンズ群Ｇ４は一旦像側に移動したあと移動方向が反転して物体側へ移動する。
【０２１２】
非球面は、第１レンズ群Ｇ１中の正両凸レンズＬ１の両側の面、第２レンズ群Ｇ２中の負両凹レンズＬ２の両面、像側に凸面を向けた正メニスカスレンズＬ３の物体側の面、第３レンズ群Ｇ３中の正両凸レンズＬ５の両側の面、第４レンズ群Ｇ４中の正両凸レンズＬ７の物体側の面に設けられている。なお、本実施例では、正レンズＬAPと負レンズＬANの接合面に非球面は用いられていない。
【０２１３】
次に、本発明の実施例８にかかるズームレンズについて説明する。図１５は本発明の実施例８にかかるズームレンズの無限遠物点合焦時の光学構成を示す光軸に沿う断面図であり、（ａ）は広角端、（ｂ）は中間焦点距離状態、（ｃ）は望遠端での断面図である。
【０２１４】
図１６は実施例８にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２１５】
実施例８のズームレンズは、図１５に示すように、物体側より順に、第１レンズ群Ｇ１と、第２レンズ群Ｇ２と、開口絞りＳと、第３レンズ群Ｇ３と、第４レンズ群Ｇ４とを有している。
【０２１６】
第１レンズ群Ｇ１は、正両凸レンズＬ１で構成されており、全体で正の屈折力を有している。
【０２１７】
第２レンズ群Ｇ２は、負両凹レンズＬ２、負両凹レンズＬ３と物体側に凸面を向けた正メニスカスレンズＬ４との接合レンズで構成されており、全体で負の屈折力を有している。物体側に凸面を向けた正メニスカスレンズＬ４は正レンズＬAPに対応し、負両凹レンズＬ３は負レンズＬANに対応する。
【０２１８】
第３レンズ群Ｇ３は、正両凸レンズＬ５、物体側に凸面を向けた負メニスカスレンズＬ６で構成されており、全体で正の屈折力を有している。
【０２１９】
第４レンズ群Ｇ４は、像側に凸面を向けた正メニスカスレンズＬ７で構成されており、全体で正の屈折力を有している。
【０２２０】
広角端から望遠端へと変倍する際には、第１レンズ群Ｇ１は物体側へ移動し、第２レンズ群Ｇ２は物体側へ移動し、第３レンズ群Ｇ３は開口絞りＳと一体的に物体側へ移動し、第４レンズ群Ｇ４は一旦像側に移動したあと移動方向が反転して物体側へ移動する。
【０２２１】
非球面は、第１レンズ群Ｇ１中の正両凸レンズＬ１の両側の面、第２レンズ群Ｇ２中の負両凹レンズＬ２の両面、物体側に凸面を向けた正メニスカスレンズＬ４の像側の面、第３レンズ群Ｇ３中の正両凸レンズＬ５の両側の面、第４レンズ群Ｇ４中の像側に凸面を向けた正メニスカスレンズＬ７の物体側の面に設けられている。なお、本実施例では、正レンズＬAPと負レンズＬANの接合面に非球面は用いられていない。
【０２２２】
次に、本発明の実施例９にかかるズームレンズについて説明する。図１７は本発明の実施例９にかかるズームレンズの無限遠物点合焦時の光学構成を示す光軸に沿う断面図であり、（ａ）は広角端、（ｂ）は中間焦点距離状態、（ｃ）は望遠端での断面図である。
【０２２３】
図１８は実施例９にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２２４】
実施例９のズームレンズは、図１７に示すように、物体側より順に、第１レンズ群Ｇ１と、第２レンズ群Ｇ２と、開口絞りＳと、第３レンズ群Ｇ３と、第４レンズ群Ｇ４とを有している。
【０２２５】
第１レンズ群Ｇ１は、正両凸レンズＬ１で構成されており、全体で正の屈折力を有している。
【０２２６】
第２レンズ群Ｇ２は、負両凹レンズＬ２、負両凹レンズＬ３と物体側に凸面を向けた正メニスカスレンズＬ４との接合レンズで構成されており、全体で負の屈折力を有している。物体側に凸面を向けた正メニスカスレンズＬ４は正レンズＬAPに対応し、負両凹レンズＬ３は負レンズＬANに対応する。
【０２２７】
第３レンズ群Ｇ３は、正両凸レンズＬ５、物体側に凸面を向けた正メニスカスレンズＬ６と物体側に凸面を向けた負メニスカスレンズＬ７の接合レンズで構成されており、全体で正の屈折力を有している。
【０２２８】
第４レンズ群Ｇ４は、像側に凸面を向けた正メニスカスレンズＬ８で構成されており、全体で正の屈折力を有している。
【０２２９】
広角端から望遠端へと変倍する際には、第１レンズ群Ｇ１は物体側へ移動し、第２レンズ群Ｇ２は像側へ移動し、第３レンズ群Ｇ３は開口絞りＳと一体的に物体側へ移動し、第４レンズ群Ｇ４は一旦像側に移動したあと移動方向が反転して物体側へ移動する。なお、第２レンズ群Ｇ２は、中間での位置と望遠端での位置の差はわずかである。
【０２３０】
非球面は、第１レンズ群Ｇ１中の正両凸レンズＬ１の両側の面、第２レンズ群Ｇ２中の負両凹レンズＬ２の両面、３レンズ群Ｇ３中の正両凸レンズＬ５の両側の面、第４レンズ群Ｇ４中の像側に凸面を向けた正メニスカスレンズＬ７の物体側の面に設けられている。なお、本実施例では、正レンズＬAPと負レンズＬANの接合面に非球面は用いられていない。
【０２３１】
次に、本発明の実施例１０にかかるズームレンズについて説明する。図１９は本発明の実施例１０にかかるズームレンズの無限遠物点合焦時の光学構成を示す光軸に沿う断面図であり、（ａ）は広角端、（ｂ）は中間焦点距離状態、（ｃ）は望遠端での断面図である。
【０２３２】
図２０は実施例１０にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２３３】
実施例１０のズームレンズは、図１９に示すように、物体側より順に、第１レンズ群Ｇ１と、第２レンズ群Ｇ２と、開口絞りＳと、第３レンズ群Ｇ３と、第４レンズ群Ｇ４とを有している。
【０２３４】
第１レンズ群Ｇ１は、物体側に凸面を向けた負メニスカスレンズＬ１と物体側に凸面を向けた正メニスカスレンズＬ２で構成されており、全体で正の屈折力を有している。
【０２３５】
第２レンズ群Ｇ２は、物体側に凸面を向けた負メニスカスレンズＬ３、物体側に凸面を向けた負メニスカスレンズＬ４と物体側に凸面を向けた正メニスカスレンズＬ５との接合レンズで構成されており、全体で負の屈折力を有している。物体側に凸面を向けた負メニスカスレンズＬ４は正レンズＬANに対応し、物体側に凸面を向けた正メニスカスレンズＬ５は負レンズＬAPに対応する。
【０２３６】
第３レンズ群Ｇ３は、正両凸レンズＬ６、物体側に凸面を向けた正メニスカスレンズＬ７と物体側に凸面を向けた負メニスカスレンズＬ８との接合レンズで構成されており、全体で正の屈折力を有している。
【０２３７】
第４レンズ群Ｇ４は、正両凸レンズＬ９で構成されており、全体で正の屈折力を有している。
【０２３８】
広角端から望遠端へと変倍する際には、第１レンズ群Ｇ１は物体側へ移動し、第２レンズ群Ｇ２は像側へ移動し、第３レンズ群Ｇ３は開口絞りＳと一体的に物体側へ移動し、第４レンズ群Ｇ４は一旦像側に移動したあと移動方向が反転して物体側へ移動する。
【０２３９】
非球面は、第２レンズ群Ｇ２中の物体側に凸面を向けた負メニスカスレンズＬ３の両面、物体側に凸面を向けた負メニスカスレンズＬ４の両面、物体側に凸面を向けた正メニスカスレンズＬ５の像側の面、第３レンズ群Ｇ３中の正両凸レンズＬ６の両側の面に設けられている。このように、本実施例では、正レンズＬAPと負レンズＬANの接合面に非球面が用いられている。
【０２４０】
次に、上記各実施例のズームレンズを構成する光学部材の数値データを掲げる。なお、各実施例の数値データにおいて、ｒの欄は各レンズ面の曲率半径、ｄの欄は各レンズの肉厚または空気間隔、ｎｄの欄は各レンズのｄ線での屈折率、νｄの欄各レンズのアッベ数をそれぞれ表している。また、*印は非球面、STOは絞りをそれぞれ示している。
【０２４１】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
ここで、非球面データにおいて、Ｅは１０のべき乗を表している。また、非球面係数が記載されていないものは、その非球面係数における値はゼロである。なお、これら諸元値の記号は後述の実施例の数値データにおいても共通である。
【０２４２】
（実施例１）
単位  ｍｍ
面データ
面番号         r           d           nd        νd
物面            ∞          ∞
1          26.4450      0.8000      1.84666     23.78
2          13.8156      2.7000      1.73077     40.51
3*       -192.7244      可変
4          43.7694      0.7000      1.69680     55.53
5          10.8906      2.2000
6*        -15.3637      1.0000      1.63494     23.22
7*         -6.7944      0.9000      1.74320     49.34
8*       -208.0010      可変
9(絞り)      ∞         0.8000
10*         24.1688      1.8000      1.74250     49.20
11*        -19.2188      0.1500
12           5.4497      2.7000      1.69680     55.53
13          13.4248      0.6000      1.84666     23.78
14           4.2048      可変 
15*         10.9456      2.0000      1.58313     59.46
16         -35.4704      可変
17            ∞         0.7580      1.54771     62.84
18            ∞         0.4787
19            ∞         0.3989      1.51633     64.14
20            ∞         1.3603
像面           ∞
【０２４３】
非球面係数
第３面
K=-0.1059,A2=0.0000E+00,A4=3.4600E-07,A6=4.6678E-09
第６面
K=-0.6957,A2=0.0000E+00,A4=-1.2458E-04,A6=3.0542E-06
第７面
K=-0.7528,A2=0.0000E+00,A4=-4.3041E-04,A6=2.1935E-05
第８面
K=-0.9690,A2=0.0000E+00,A4=-1.3472E-04,A6=7.2254E-06
第１０面
K=3.7659,A2=0.0000E+00,A4=-3.8282E-04,A6=1.5704E-05
第１１面
K=-0.9658,A2=0.0000E+00,A4=-2.2045E-04,A6=1.4126E-05
第１５面
K=-0.9236,A2=0.0000E+00,A4=3.1124E-05,A6=2.9451E-07
【０２４４】
各種データ    
ズーム比          4.99
広角         中間          望遠
焦点距離          7.00943     15.64607      35.00249
Ｆナンバー        2.8400       2.9504        3.8784
画角             30.3°       12.9°         5.8°
像高              3.600        3.600         3.600
レンズ全長       46.9634      45.9916       55.4100
ＢＦ              1.36028      1.36028       1.36028
d3                0.65000      8.83784      14.65673
d8               17.19034      6.04002       1.50167
d14               7.65597      6.42400      15.77566
d16               2.12115      5.35351       4.13256
【０２４５】
ズーム群データ
群        始面        焦点距離
1         1          36.57282
2         4          -9.33696
4        10          12.64978
5        15          14.57546
【０２４６】
〔硝材屈折率テーブル〕・・・本実施例にて使用した媒質の波長別屈折率一覧
レンズ           587.56    656.27    486.13    435.84    404.66
L6             1.742499  1.737967  1.753057  1.761415  1.768384
LPF            1.547710  1.545046  1.553762  1.558427  1.562262
L4             1.634940  1.627290  1.654640  1.674080  1.693923
L2             1.730770  1.725416  1.743456  1.753787  1.762674
L9             1.583130  1.580140  1.589950  1.595245  1.599635
CG             1.516330  1.513855  1.521905  1.526213  1.529768
L3,L7          1.696797  1.692974  1.705522  1.712339  1.718005
L5             1.743198  1.738653  1.753716  1.762046  1.769040
L1,L8          1.846660  1.836488  1.872096  1.894186  1.914294
【０２４７】
（実施例２）
単位  ｍｍ
面データ
面番号         r           d           nd        νd
物面            ∞          ∞
1          20.6255      0.8000      1.84666     23.78
2          13.9081      2.7000      1.72916     54.68
3*       -429.2393      可変
4         -71.3036      0.7000      1.83400     47.50
5           7.0567      2.3000
6*        -17.7280      0.9000      1.52540     56.25
7*         38.4125      1.0000      1.63494     23.22
8*        -24.7821      可変
9(絞り)       ∞        0.8000
10*         46.7651      1.8000      1.74250     49.20
11*        -13.7731      0.1500
12           5.4388      2.7000      1.72916     54.68
13          14.9607      0.6000      1.84666     23.78
14           4.0856      可変
15*         12.5033      2.0000      1.80610     40.92
16         178.6526      可変
17*        -16.6330      0.7000      1.68893     31.07
18        -495.0834      1.2000
19             ∞        0.3989      1.51633     64.14
20             ∞        1.3599
像面            ∞
【０２４８】
非球面係数
第３面
K=-2.6460,A2=0.0000E+00,A4=7.0048E-06,A6=-7.8418E-09
第６面
K=-0.0888,A2=0.0000E+00,A4=-6.0756E-04,A6=-1.1968E-05
第７面
K=-0.0352,A2=0.0000E+00,A4=9.0930E-04,A6=-9.5327E-05
第８面
K=0.1403,A2=0.0000E+00,A4=-4.4746E-04,A6=-1.8325E-05
第１０面
K=3.7752,A2=0.0000E+00,A4=-6.4542E-04,A6=-1.8902E-05
第１１面
K=-0.9643,A2=0.0000E+00A4=-5.0209E-04,A6=-1.5123E-05
第１５面
K=-0.9310,A2=0.0000E+00,A4=3.1658E-05,A6=-1.0681E-06
第１７面
K=0.2901,A2=0.0000E+00,A4=6.7915E-05,A6=1.2105E-05
【０２４９】
各種データ    
ズーム比          5.00
広角         中間          望遠
焦点距離          6.99779     15.65043      34.99934
Ｆナンバー        2.8485       2.9580        3.3281
画角             30.4°       13.0°         5.8°
像高              3.600        3.600         3.600
レンズ全長       46.3860      46.0724       49.0017
ＢＦ              1.35992      1.35992       1.35992
d3                0.65000      8.14584      13.69497
d8               16.04662      6.82665       1.49962
d14               7.67358      6.43891      10.47855
d16               1.90694      4.55291       3.22220
【０２５０】
ズーム群データ
群        始面        焦点距離
1         1          29.12695
2         4          -7.90511
3        10          12.31786 
4        15          16.58901 
5        17         -24.99746
【０２５１】
〔硝材屈折率テーブル〕・・・本実施例にて使用した媒質の波長別屈折率一覧
587.56    656.27    486.13    435.84    404.66
L4             1.525399  1.522577  1.531916  1.537043  1.541302
L6             1.742499  1.737967  1.753057  1.761415  1.768384
L3             1.833998  1.828719  1.846274  1.855936  1.863939
L5             1.634940  1.627290  1.654640  1.675046  1.696625
CG             1.516330  1.513855  1.521905  1.526213  1.529768
L9             1.806098  1.800248  1.819945  1.831173  1.840781
L2,L7          1.729157  1.725101  1.738436  1.745696  1.751731
L1,L8          1.846660  1.836488  1.872096  1.894186  1.914294
L10            1.688931  1.682495  1.704665  1.717973  1.729809
【０２５２】
（実施例３）
単位  ｍｍ
面データ
面番号         r           d           nd        νd
物面            ∞          ∞
1          22.3011      0.8000      1.84666     23.78
2          14.5807      2.7000      1.72916     54.68 
3*       -123.6163      可変 
4*       -150.0110      0.7000      1.83481     41.20
5*          6.2675      0.7000      1.63494     23.22
6*          8.4255      2.2000
7          -5.4484      0.5000      1.73077     40.51
8         -21.1624      1.7000      1.84666     23.78
9          -8.9634      可変
9(絞り)       ∞        0.8000
11*         46.9891      1.8000      1.74250     49.20
12*        -12.9980      0.1500
13           4.8319      2.7000      1.72916     54.68
14          13.0488      0.6000      1.84666     23.78
15           3.4629      可変
16*         11.4921      2.0000      1.80610     40.92
17          31.5683      可変
18             ∞        0.7000      1.51633     64.14
19             ∞        1.2000
20             ∞        0.3989      1.51633     64.14
21             ∞        1.3606
像面            ∞
【０２５３】
非球面係数
第３面 
K=-2.6001,A2=0.0000E+00,A4=9.4098E-06,A6=-1.0705E-08
第４面 
K=-5.6535,A2=0.0000E+00,A4=-3.2210E-04,A6=1.5806E-05
第５面 
K=0.1554,A2=0.0000E+00,A4=1.4592E-03,A6=-1.1506E-04
第６面 
K=-0.0369,A2=0.0000E+00,A4=-1.4646E-03,A6=6.8925E-05
第１１面 
K=-4.5289,A2=0.0000E+00,A4=-5.9132E-04,A6=-1.3420E-05
第１２面 
K=-0.9753,A2=0.0000E+00,A4=-4.1911E-04,A6=-1.0659E-05
第１６面 
K=-0.9276,A2=0.0000E+00,A4=1.0972E-04,A6=1.9456E-06
【０２５４】
各種データ    
ズーム比          5.00
広角         中間          望遠
焦点距離          6.99739     15.64844      35.00010
Ｆナンバー        2.8574       3.2489        3.3981
画角             30.4°       13.1°         5.8°
像高              3.600        3.600         3.600
レンズ全長       44.4352      46.2219       48.9999
ＢＦ              1.36057      1.36057       1.36057
d3                1.00000      7.25094      13.61920
d9               13.20900      5.59593       1.00016
d15               7.70269      7.43689      10.04045
d17               1.51403      4.92959       3.33339
【０２５５】
ズーム群データ
群        始面        焦点距離
1         1          28.11859
2         4          -7.20124
4        11          11.36437
5        16          21.46279
【０２５６】
〔硝材屈折率テーブル〕・・・本実施例にて使用した媒質の波長別屈折率一覧
587.56    656.27    486.13    435.84    404.66
L7             1.742499  1.737967  1.753057  1.761415  1.768384
L3             1.834808  1.828801  1.849061  1.860573  1.870337
L4             1.634940  1.627290  1.654640  1.674562  1.695271
L5             1.730770  1.725416  1.743456  1.753787  1.762674
LPG,CG         1.516330  1.513855  1.521905  1.526213  1.529768
L10            1.806098  1.800248  1.819945  1.831173  1.840781
L2,L8          1.729157  1.725101  1.738436  1.745696  1.751731
L1,L6,L9       1.846660  1.836488  1.872096  1.894186  1.914294
【０２５７】
（実施例４）
単位  ｍｍ
面データ
面番号         r           d           nd        νd
物面            ∞          ∞
1          26.8390      0.6000      1.84666     23.78
2          16.3344      3.8000      1.72000     43.69
3         251.2140      可変
4          79.0802      0.8000      1.88300     38.50
5          10.4013      3.9000
6*        -15.6402      0.5000      1.63494     23.22
7*        -11.2194      0.8000      1.83481     42.71
8*          2.084E+04   0.2000
9          29.3362      2.0000      1.80810     22.76
10         -42.8587      可変
11(絞り)       ∞        0.4000
12*         12.5777      1.8000      1.69350     51.80
13*        -87.4358      0.2000
14           5.3985      2.4000      1.49700     81.54
15           9.5055      0.8000      1.84666     23.78
16           4.5362      可変
17*         14.1406      1.6000      1.69350     53.18
18          39.9405      可変
19             ∞        0.9010      1.54771     62.84
20             ∞        0.5300
21             ∞        0.5300      1.51633     64.14
22             ∞        1.3601
像面            ∞
【０２５８】
非球面係数
第６面 
K=-0.0535,A2=0.0000E+00,A4=3.4485E-05,A6=-3.6491E-08,A8=0.0000E+00
第７面 
K=-0.1837,A2=0.0000E+00,A4=-6.5454E-06,A6=4.1099E-06,A8=0.0000E+00
第８面 
K=8.5769,A2=0.0000E+00,A4=6.0909E-05,A6=5.5779E-07,A8=0.0000E+00
第１２面 
K=-0.6890,A2=0.0000E+00,A4=1.0899E-04,A6=1.6473E-05,A8=3.5467E-07
第１３面 
K=0,A2=0.0000E+00,A4=1.9328E-04,A6=1.9010E-05,A8=4.8815E-07
第１７面 
K=0,A2=0.0000E+00,A4=-1.2785E-05,A6=6.0991E-07,A8=-2.5404E-09
【０２５９】
各種データ    
ズーム比          8.00
広角         中間          望遠
焦点距離          6.99897     19.80013      56.00002
Ｆナンバー        3.1000       3.7979        5.0423
画角             31.7°       10.9°         3.8°
像高              3.800        3.800         3.800
レンズ全長       67.2592      58.2183       71.9432
ＢＦ              1.36011      1.36011       1.36011
d3                0.59976     10.08933      22.11095
d10              31.33058      8.25005       1.59000
d16               7.69341      5.84941      21.84350
d18               4.51433     10.90817       3.27745
【０２６０】
ズーム群データ
群        始面        焦点距離
1         1          47.20195
2         4         -12.34780
3        12          17.08297
4        17          30.78406
【０２６１】
〔硝材屈折率テーブル〕・・・本実施例にて使用した媒質の波長別屈折率一覧
587.56    656.27    486.13    435.84    404.66
L7             1.693499  1.689469  1.702855  1.710240  1.716386
L3             1.882998  1.876228  1.899160  1.912305  1.923515
LPF            1.547710  1.545046  1.553762  1.558427  1.562261
L4             1.634940  1.627290  1.654640  1.673656  1.692736
L10            1.693500  1.689551  1.702591  1.709739  1.715701
CG             1.516330  1.513855  1.521905  1.526213  1.529768
L8             1.496999  1.495136  1.501231  1.504506  1.507205
L5             1.834807  1.828975  1.848520  1.859547  1.868911
L2             1.720000  1.715105  1.731585  1.740976  1.749012
L6             1.808095  1.798009  1.833513  1.855902  1.876580
L1,L9          1.846660  1.836488  1.872096  1.894186  1.914294
【０２６２】
（実施例５）
単位  ｍｍ
面データ
面番号         r           d           nd        νd
物面            ∞          ∞
1          27.5413      0.6000      1.84666     23.78
2          16.5179      4.5000      1.72000     43.69
3         312.5610      可変
4*         54.8906      0.4000      1.63494     23.22
5*       -233.0859      0.8000      1.88300     40.76
6*          9.6383      3.7563
7         -13.6251      0.8000      1.83481     42.71
8        -430.1497      0.2000
9          37.4857      2.0000      1.80810     22.76
10         -26.9458      可変
11(絞り)       ∞        0.4000
12*         13.4238      1.8000      1.69350     53.18
13*        -63.0741      0.2000
14           5.3574      2.4000      1.50507     81.59
15           9.2802      0.8000      1.84666     23.78
16           4.4759      可変
17*         14.2543      1.6000      1.69350     53.18
18          40.5776      可変
19             ∞        0.9010      1.54771     62.84
20             ∞        0.5300
21             ∞        0.5300      1.51633     64.14
22             ∞        1.3602
像面            ∞
【０２６３】
非球面係数
第４面 
K=-7.4305,A2=0.0000E+00,A4=-6.7057E-05,A6=2.9509E-07,A8=0.0000E+00
第５面 
K=-1.3338,A2=0.0000E+00,A4=1.1949E-05,A6=1.3329E-06,A8=0.0000E+00
第６面 
K=0.5245,A2=0.0000E+00,A4=-1.1579E-04,A6=-8.2780E-07,A8=0.0000E+00
第１２面 
K=-0.6884,A2=0.0000E+00,A4=1.0136E-04,A6=8.9099E-06,A8=4.1660E-07
第１３面 
K=0,A2=0.0000E+00,A4=1.8512E-04,A6=1.0246E-05,A8=5.2639E-07
第１７面 
K=0,A2=0.0000E+00,A4=-9.4780E-06,A6=4.4573E-07,A8=3.0169E-09
【０２６４】
各種データ    
ズーム比          8.00
広角         中間          望遠
焦点距離          6.99886     19.80054      55.99975
Ｆナンバー        3.1000       3.8542        5.0463
画角             31.7°       10.9°         3.8°
像高              3.800        3.800         3.800
レンズ全長       67.7300      58.7396       72.2818
ＢＦ              1.36020      1.36020       1.36020
d3                0.59975      9.65798      22.10322
d10              31.42721      8.26304       1.59000
d16               7.61604      6.48435      21.73368
d18               4.50946     10.75577       3.27721
【０２６５】
ズーム群データ
群        始面        焦点距離
1         1          47.59866
2         4         -12.35247
3        12          17.03460
4        17          30.91484
【０２６６】
〔硝材屈折率テーブル〕・・・本実施例にて使用した媒質の波長別屈折率一覧
587.56    656.27    486.13    435.84    404.66
L8             1.505071  1.503181  1.509371  1.512779  1.515662
LPF            1.547710  1.545046  1.553762  1.558427  1.562261
L3             1.634940  1.627290  1.654640  1.673243  1.691579
L7             1.693500  1.689551  1.702591  1.709739  1.715701
CG             1.516330  1.513855  1.521905  1.526213  1.529768
L5             1.834807  1.828975  1.848520  1.859547  1.868911
L4             1.882997  1.876560  1.898221  1.910495  1.920919
L2             1.720000  1.715105  1.731585  1.740976  1.749012
L6             1.808095  1.798009  1.833513  1.855902  1.876580
L1,L9          1.846660  1.836488  1.872096  1.894186  1.914294
【０２６７】
（実施例６）
単位  ｍｍ
面データ
面番号         r           d           nd        νd
物面            ∞          ∞
1          73.8912      1.5000      1.84666     23.78
2          51.1458      0.2000
3          55.7971      4.7000      1.49700     81.54
4         840.8341      0.1500
5          36.9883      4.8000      1.49700     81.54
6         164.5963      可変
7*        141.6525      0.9000      1.68500     15.80
8*       -571.5929      0.9000      1.88300     40.76
9          12.4510      5.5000
10         -23.1044      0.9000      1.80610     40.92
11          63.5490      1.0000 
12*        -55.4565      0.9000      1.69350     53.21
13          37.0080      0.1500
14          31.6843      4.0000      1.68893     31.07
15         -21.2907      可変
16(絞り)       ∞        可変
17*         13.7548      2.2000      1.49700     81.54
18         857.8901      0.1500
19          20.4868      0.7000      1.77250     49.60
20           9.4621      3.3000      1.49700     81.54
21         -53.6516      可変
22         -35.9945      0.6000      1.51633     64.14
23           9.8199      1.2000      1.84666     23.78
24          13.7888      可変
25*         23.8489      2.7000      1.49700     81.54
26         -13.6215      0.1500
27        -375.2738      2.2000      1.49700     81.54
28          -9.9864      0.7000      1.84666     23.78
29         -28.5726      可変
30             ∞        1.0000      1.54771     62.84
31             ∞        0.7000
32             ∞        0.6000      1.51633     64.14
33             ∞        2.1601
像面            ∞
【０２６８】
非球面係数
第７面 
K=0.0923,A2=0.0000E+00,A4=-1.2157E-05,A6=3.4591E-08,A8=0.0000E+00
第８面 
K=-0.0228,A2=0.0000E+00,A4=-1.1619E-06,A6=4.2726E-08,A8=0.0000E+00
第１２面 
K=0,A2=0.0000E+00,A4=3.3500E-05,A6=-6.8444E-08,A8=-8.4140E-10
第１７面 
K=0,A2=0.0000E+00,A4=-5.1388E-05,A6=6.6096E-09,A8=-2.0803E-10
第２５面 
K=0,A2=0.0000E+00,A4=-5.1827E-05,A6=-6.6588E-08,A8=7.8406E-09
【０２６９】
各種データ    
ズーム比         10.01
広角         中間          望遠
焦点距離          4.99739     15.80048      50.00009
Ｆナンバー        2.8000       3.3617        3.2912
画角             39.3°       12.9°         4.1°
像高              3.600        3.600         3.600
レンズ全長      109.5633     101.6083      112.6630
ＢＦ              2.16006      2.16006       2.16006
絞り有効半径      3.40414      3.41519       4.79195
d6                0.79902     20.30685      38.78629
d15              36.38664      8.92234       1.49911
d16              12.61615      7.00134       1.00004
d21               1.20217      4.22149      11.35576
d24               4.50134      3.75306       3.29433
d29              10.09792     13.44572      12.76740
【０２７０】
ズーム群データ
群        始面        焦点距離
1         1          73.15236
2         7         -12.39847
3        17          19.21443
4        22         -24.10352
5        25          20.11327
【０２７１】
〔硝材屈折率テーブル〕・・・本実施例にて使用した媒質の波長別屈折率一覧
587.56    656.27    486.13    435.84    404.66
LPF                    1.547710  1.545046  1.553762  1.558428  1.562262
L4                     1.684996  1.673486  1.716835  1.747796  1.778192
L12,CG                 1.516330  1.513855  1.521905  1.526214  1.529768
L2,L3,L9,L11,L14,L15   1.496999  1.495138  1.501233  1.504509  1.507203
L6                     1.806098  1.800248  1.819945  1.831174  1.840781
L5                     1.882997  1.876560  1.898221  1.910497  1.920919
L10                    1.772499  1.767798  1.783374  1.791972  1.799174
L7                     1.693501  1.689548  1.702582  1.709715  1.715662
L1,L13,L16             1.846660  1.836491  1.872096  1.894187  1.914278
L8                     1.688931  1.682495  1.704665  1.717975  1.729809
【０２７２】
（実施例７）
単位  ｍｍ
面データ
面番号         r           d           nd        νd
物面            ∞          ∞
1*         16.4189      2.2423      1.49700     81.54
2*        -49.9548      可変
3*        -40.0473      0.7000      1.52542     50.50
4*          7.1803      1.3239
5*       -129.9255      0.5752      1.63494     23.22
6         -19.3026      0.8000      1.58313     59.38
7          16.3014      可変
8(絞り)       ∞       -0.1000
9*          4.4912      1.9000      1.74320     49.34
10*        -40.0312      0.1000
11           6.2476      1.1000      1.92286     20.10
12           2.9815      可変
13*         37.0133      2.4341      1.52542     55.78
14          -9.2906      可変
15             ∞        1.0000      1.51633     64.14
16             ∞        1.2014
像面            ∞
【０２７３】
非球面係数
第１面 
K=-0.9358,A2=0.0000E+00,A4=1.7221E-05,A6=-8.4549E-07,A8=2.0978E-08,
A10=-3.8409E-11
第２面 
K=-1.4315,A2=0.0000E+00,A4=1.7746E-06,A6=4.2666E-08,A8=1.7609E-08,
A10=-1.8044E-10
第３面 
K=8.5291,A2=0.0000E+00,A4=-9.1235E-04,A6=3.3157E-05,A8=-5.2667E-07,
A10=4.2126E-09
第４面 
K=-1.6973,A2=0.0000E+00,A4=6.6240E-04,A6=-4.9690E-06,A8=-1.8842E-06,
A10=3.4072E-08
第５面 
K=122.9470,A2=0.0000E+00,A4=1.2621E-03,A6=-5.1794E-05,A8=4.4515E-08,
A10=0.0000E+00
第９面 
K=-0.8591,A2=0.0000E+00,A4=1.0435E-04,A6=-1.1049E-07,A8=-1.9982E-06,
A10=-2.4152E-07
第１０面 
K=29.2890,A2=0.0000E+00,A4=4.4251E-04,A6=-4.6420E-05,A8=-4.3674E-07,
A10=0.0000E+00
第１３面 
K=-4.9538,A2=0.0000E+00,A4=-2.0035E-05,A6=4.9528E-06,A8=-2.3417E-07,
A10=3.0514E-09
【０２７４】
各種データ    
ズーム比          3.75
広角         中間          望遠
焦点距離          6.77084     12.45173      25.40909
Ｆナンバー        3.6000       4.5950        5.4487
画角             32.6°       17.6°         8.9°
像高              3.840        3.840         3.840
レンズ全長       31.5188      34.7815       38.2644
ＢＦ              1.20139      1.20139       1.20139
d2                0.46811      3.55999       6.84730
d7               10.58492      6.65979       0.80013
d12               3.53462      8.16389      11.69102
d14               3.65428      3.11734       5.65619
【０２７５】
ズーム群データ
群        始面        焦点距離
1         1          25.14596
2         3          -7.57674
3         9           9.61953
4        13          14.39503
【０２７６】
〔硝材屈折率テーブル〕・・・本実施例にて使用した媒質の波長別屈折率一覧
587.56    656.27    486.13    435.84    404.66
L2             1.525419  1.522301  1.532704  1.538508  1.543381
L6             1.922856  1.909932  1.955840  1.984877  2.011316
L3             1.634940  1.627290  1.654640  1.675524  1.697965
L4             1.583126  1.580139  1.589960  1.595296  1.599721
CG             1.516330  1.513855  1.521905  1.526213  1.529768
L1             1.496999  1.495136  1.501231  1.504506  1.507205
L5             1.743198  1.738653  1.753716  1.762046  1.769040
L7             1.525420  1.522680  1.532100  1.537050  1.540699
【０２７７】
（実施例８）
単位  ｍｍ
面データ
面番号         r           d           nd        νd
物面            ∞          ∞ 
1*         16.7505      2.3212      1.49700    81.54
2*        -34.9627      可変
3*        -22.8401      0.7000      1.52542    55.78
4*          6.4242      1.8740
5         -21.1421      0.8000      1.58313    59.38
6          17.8005      0.6046      1.63494    23.22
7*        131.5083      可変
8(絞り)       ∞       -0.1000
9*          4.3682      1.8843      1.74320    49.34
10*        -63.9755      0.1000
11           5.7772      1.1000      1.92286    18.90
12           2.9400      可変
13*       -166.6984      2.3259      1.52542    55.78
14          -8.1475      可変
15             ∞        1.0000      1.51633    64.14
16             ∞        1.0793
像面            ∞
【０２７８】
非球面係数
第１面 
K=0.2390,A2=0.0000E+00,A4=-7.2413E-06,A6=-4.0959E-06,A8=6.1260E-11,
A10=-2.3019E-09
第２面
K=4.6801,A2=0.0000E+00,A4=8.0872E-05,A6=-3.3793E-06,A8=-1.8316E-07,
A10=2.9694E-09
第３面
K=1.9022,A2=0.0000E+00,A4=-4.8586E-04,A6=5.9661E-05,A8=-2.1406E-06,
A10=2.6928E-08
第４面
K=-0.0906,A2=0.0000E+00,A4=-6.5916E-04,A6=5.0762E-05,A8=2.5205E-06,
A10=-1.1728E-07
第７面
K=7.1865,A2=0.0000E+00,A4=-3.2402E-04,A6=-8.4797E-06,A8=0.0000E+00,
A10=0.0000E+00
第９面
K=-3.0231,A2=0.0000E+00,A4=3.6716E-03,A6=-1.3025E-04,A8=1.2545E-05,
A10=-3.0304E-07
第１０面
K=-1.4301,A2=0.0000E+00,A4=8.5325E-04,A6=2.7829E-05,A8=4.3372E-06,
A10=0.0000E+00第１３面
K=9.6449,A2=0.0000E+00,A4=-3.3648E-04,A6=2.1031E-05,A8=-8.7568E-07,
A10=1.2082E-08
【０２７９】
各種データ    
ズーム比          3.95
広角         中間          望遠
焦点距離          6.45208     12.51638      25.49743
Ｆナンバー        2.9708       4.1804        5.6000
画角             33.8°       17.4°         8.8°
像高              3.840        3.840         3.840
レンズ全長       30.2791      38.7554       38.7554
ＢＦ              1.13082      1.13082       1.13082
d2                0.31924      2.25737       5.02792
d7                9.45827      5.36130       1.34833
d12               2.77791      9.11561      15.30831
d14               4.03440      2.78209       3.39431
【０２８０】
ズーム群データ
群        始面        焦点距離
1         1          23.13109
2         3          -7.05804
3         9           8.95029
4        13          16.22156
【０２８１】
〔硝材屈折率テーブル〕・・・本実施例にて使用した媒質の波長別屈折率一覧
587.56    656.27    486.13    435.84    404.66
L4             1.634940  1.627290  1.654640  1.672908  1.690644
L3             1.583126  1.580139  1.589960  1.595296  1.599721
CG             1.516330  1.513855  1.521905  1.526213  1.529768
L1             1.496999  1.495136  1.501231  1.504506  1.507205
L5             1.743198  1.738653  1.753716  1.762046  1.769040
L6             1.922860  1.909158  1.957996  1.989713  2.019763
L2,L7          1.525420  1.522680  1.532100  1.537050  1.540699
【０２８２】
（実施例９）
単位  ｍｍ
面データ
面番号         r           d           nd        νd
物面            ∞          ∞ 
1*         20.3861      2.5000      1.49700    81.54
2*        -30.1760      0.2679
3*        -12.0719      0.8000      1.52542    55.78
4*         29.9980      1.2048
5         -20.0364      0.8000      1.77250    49.60
6          10.1199      0.9000      1.63494    23.22
7          94.6054     11.2642
8(絞り)       ∞        0
9*          4.3099      1.7167      1.74320    49.34
10*        -14.9302      0.1000
11          13.1231      0.9000      1.77250    49.60
12          89.8778      0.6000      1.78472    25.68
13           2.9574      2.7615
14*        -32.0113      1.8000      1.80610    40.92
15          -8.6669      4.1237
16             ∞        1.0000      1.51633    64.14
17             ∞        1.1127
像面            ∞
【０２８３】
非球面係数
第１面 
K=0.2510,A2=0.0000E+00,A4=-5.1052E-05,A6=-1.8664E-07,A8=-1.0788E-08,
A10=-1.7609E-10
第２面 
K=-1.1747,A2=0.0000E+00,A4=-2.4058E-05,A6=1.2824E-06,A8=-6.4526E-08,
A10=7.1872E-10
第３面 
K=-0.8816,A2=0.0000E+00,A4=9.8622E-04,A6=-1.3495E-05,A8=8.5475E-08,
A10=-3.0437E-10
第４面 
K=-0.3662,A2=0.0000E+00,A4=5.5069E-04,A6=8.8765E-06,A8=-8.9154E-08,
A10=-6.1767E-09
第９面 
K=-0.9539,A2=0.0000E+00,A4=-2.0028E-05,A6=-7.9938E-05,A8=-3.2148E-07,
A10=1.8380E-07
第１０面 
K=-1.3462,A2=0.0000E+00,A4=6.6323E-04,A6=-1.2474E-04,A8=-4.8038E-06,
A10=5.3203E-07
第１４面 
K=-4.8773,A2=0.0000E+00,A4=-1.2615E-04,A6=5.7485E-06,A8=-2.4527E-07,
A10=3.6035E-09
【０２８４】
各種データ    
ズーム比          3.98
広角         中間          望遠
焦点距離          6.44354     12.80633      25.66297
Ｆナンバー        3.4886       4.5702        5.6000
画角             32.7°       16.6°         8.6°
像高              3.840        3.840         3.840
レンズ全長       31.8515      34.3023       37.4800
ＢＦ              1.11270      1.11270       1.11270
d2                0.26789      3.50597       6.77948
d7               11.26421      6.19999       0.96590
d13               2.76146      7.42578      11.44462
d15               4.12374      3.75284       4.82735
【０２８５】
ズーム群データ
群        始面        焦点距離
1         1          24.88880
2         3          -7.84990
3         9           9.48778
4        14          14.25278
【０２８６】
〔硝材屈折率テーブル〕・・・本実施例にて使用した媒質の波長別屈折率一覧
587.56    656.27    486.13    435.84    404.66 
L4             1.634940  1.627290  1.654640  1.672908  1.690644
CG             1.516330  1.513855  1.521905  1.526213  1.529768
L1             1.496999  1.495136  1.501231  1.504506  1.507205
L8             1.806098  1.800248  1.819945  1.831173  1.840781
L3,L6          1.772499  1.767798  1.783374  1.791971  1.799174
L5             1.743198  1.738653  1.753716  1.762046  1.769040
L7             1.784723  1.775965  1.806519  1.825342  1.842388
L2             1.525420  1.522680  1.532100  1.537050  1.540699
【０２８７】
（実施例１０）
単位  ｍｍ
面データ
面番号         r           d           nd        νd
物面           ∞          ∞ 
1          18.3434      0.9000      1.92286    20.88
2          12.0213      0.0500
3          12.1943      2.5000      1.77250    49.60
4         156.8354      0.5003
5*         80.6534      0.7000      1.74320    49.34
6*          5.3837      2.1002
7*         26.4437      0.8000      1.58313    59.38
8*          4.9844      1.0000      1.63387    23.38
9*         16.6289     10.3183
10(絞り)       ∞        0
11*          6.0040      1.9999      1.58313    59.38
12*         -7.7105      0.1500
13           6.0294      1.1984      1.57099    50.80
14           7.7745      0.5000      1.92286    20.88
15           3.5080      4.0066
16         127.0367      1.5000      1.58313    59.38
17         -24.7245      4.2823
18             ∞        0.5000      1.51633    64.14
19             ∞        0.4999
像面            ∞        
【０２８８】
非球面係数
第５面 
K=5.2501,A2=0.0000E+00,A4=8.9072E-04,A6=-3.1699E-05,A8=3.1989E-07,
A10=0.0000E+00
第６面 
K=0.1555,A2=0.0000E+00,A4=1.2429E-03,A6=4.2142E-05,A8=6.1900E-07,
A10=0.0000E+00
第７面 
K=36.7740,A2=0.0000E+00,A4=-8.6035E-04,A6=0.0000E+00,A8=0.0000E+00,
A10=0.0000E+00
第８面 
K=-5.7568,A2=0.0000E+00,A4=-4.7835E-04,A6=0.0000E+00,A8=0.0000E+00,
A10=0.0000E+00
第９面 
K=-6.9032,A2=0.0000E+00,A4=-1.5346E-03,A6=0.0000E+00,A8=0.0000E+00,
A10=0.0000E+00
第１１面 
K=0.0017,A2=0.0000E+00,A4=-2.5030E-03,A6=-1.0297E-04,A8=-3.0400E-05,
A10=0.0000E+00
第１２面 
K=-1.2426,A2=0.0000E+00,A4=-1.1249E-03,A6=-1.5896E-04,A8=-1.3731E-05,
A10=0.0000E+00
【０２８９】
各種データ    
ズーム比          4.82
広角         中間          望遠
焦点距離          6.59943     14.49978      31.79959
Ｆナンバー        3.3000       4.4199        5.3644
画角             31.6°       14.5°         6.7°
像高              3.840        3.840         3.840
レンズ全長       33.5057      37.3628       41.8617
ＢＦ              0.4999       0.4999        0.4999
d4                0.50026      5.66462      11.11080
d9               10.31827      5.36588       0.99977
d15               4.00656     10.21939      13.30831
d17               4.28226      1.71477       2.04461
【０２９０】
ズーム群データ
群        始面        焦点距離
1         1          30.55444
2         5          -7.18292
3        10           8.48655
4        16          35.62198
【０２９１】
〔硝材屈折率テーブル〕・・・本実施例にて使用した媒質の波長別屈折率一覧
587.56    656.27    486.13    435.84    404.66 
L1,L8          1.922860  1.910380  1.954570  1.982810  2.009196
L5             1.633870  1.626381  1.653490  1.671610  1.688826
L7             1.570989  1.567616  1.578856  1.585136  1.590445
L4,L6,L9       1.583126  1.580139  1.589960  1.595296  1.599721
L10            1.516330  1.513855  1.521905  1.526213  1.529768
L2             1.772499  1.767798  1.783374  1.791971  1.799174
L3             1.743198  1.738653  1.753716  1.762046  1.769040
【０２９２】
次に、各実施例におけるパラメータの値を掲げる（-）は該当する数値がないことを示
す。
実施例１     実施例２     実施例３     実施例４     実施例５
ｆw           7.009        6.998        6.997        6.999        6.999
ｙ10          3.6          3.6          3.6          3.8          3.8
ｎdp          1.63494      1.63494      1.63494      1.63494      1.63494
νdp         23.22        23.22        23.22        23.22        23.22
θgFp         0.7108       0.7461       0.7284       0.6953       0.6802
βp           0.7486       0.7839       0.7662       0.7331       0.7180
θhgp         0.7255       0.7890       0.7572       0.6976       0.6704
βhgp         0.7777       0.8412       0.8094       0.7498       0.7226
ｎdn          1.74320      1.52540      1.83481      1.83481      1.88300
νdn         49.34        56.25        41.20        42.71        40.76
θgFn         0.5528       0.5490       0.5682       0.5645       0.5669
θhgn         0.4638       0.4560       0.4819       0.4790       0.4811
ｙ07          2.52         2.52         2.52         2.66         2.66
tanω07w      0.3819       0.3801       0.3835       0.4059       0.4058
ｔp           1.0          1.0          0.7          0.5          0.4
ｔn           0.9          0.9          0.7          0.8          0.8
ＲAC         -6.794       38.413        6.268      -11.219     -233.086
ｚAC(h)      -0.7997       0.1268       0.9411      -0.9647      -0.0273
(10)式の右辺    (-)        0.1367         (-)          (-)          (-)
(11)式の右辺 -0.8158         (-)        0.9012      -1.0127      -0.0466
ａ            1.291        1.295        1.295        1.863        1.863
ｈ(=2.5a)     3.228        3.238        3.238        4.658        4.658
γ            4.994        5.001        5.002        8.001        8.001
ｚAP(h)      -0.3503      -0.2829       0.5645      -0.6930       0.1669
【０２９３】
実施例６     実施例７     実施例８     実施例９     実施例１０
ｆw           4.997        6.771        6.452        6.444        6.599
ｙ10          3.6          3.84         3.84         3.84         3.84
ｎdp          1.68500      1.63494      1.63494      1.63494      1.63387
νdp         15.80        23.22        23.22        23.22        23.38
θgFp         0.7142       0.7636       0.6679       0.6679       0.6684
βp           0.7400       0.8014       0.7057       0.7057       0.7065
θhgp         0.7012       0.8205       0.6485       0.6485       0.6351
βhgp         0.7364       0.8727       0.7007       0.7007       0.6877
ｎdn          1.88300      1.58313      1.58313      1.77250      1.58313
νdn         40.76        59.38        59.38        49.60        59.38
θgFn         0.5669       0.5438       0.5438       0.5523       0.5438
θhgn         0.4811       0.4501       0.4501       0.4624       0.4501
ｙ07          2.52         2.69         2.69         2.69         2.69
tanω07w      0.5391       0.4219       0.4412       0.4387       0.4218
ｔp           0.9          0.5752       0.6046       0.9          1.0
ｔn           0.9          0.8          0.8          0.8          0.8
ＲAC       -571.593      -19.303       17.801       10.120        4.984
ｚAC(h)      -0.0357      -0.2551       0.3297       0.6001       0.8899
(10)式の右辺    (-)          (-)          (-)          (-)        1.7766
(11)式の右辺 -0.0368         (-)          (-)          (-)          (-)
a             2.594        1.251        1.364        1.373        1.526
ｈ(=2.5a)     6.485        3.128        3.410        3.433        3.815
γ           10.005        3.753        3.952        3.983        4.819
ｚAP(h)       0.1296       0.0344      -0.0129       0.0623       0.0830
【０２９４】
次に、各実施例における条件式の値を掲げる。(-)は条件に該当しないことを示す。
実施例１    実施例２    実施例３    実施例４    実施例５
(1)βp                  0.7486      0.7839      0.7662      0.7331      0.7180
(2)νdp                23.22       23.22       23.22       23.22       23.22
(3)βhgp                0.7777      0.8412      0.8094      0.7498      0.7226
(4)θgFp-θgFn          0.1580      0.1971      0.1602      0.1308      0.1133
(5)θhgp-θhgn          0.2617      0.3330      0.2753      0.2186      0.1893
(6)νdp-νdn          -26.12      -33.03      -17.98      -19.49      -17.54
(7)ｎdp                 1.63494     1.63494     1.63494     1.63494     1.63494
(8)ｎdn                 1.74320     1.52540     1.83481     1.83481     1.88300
(10)ｚAC(h)＜             (-)       0.1268        (-)         (-)         (-)
右辺          (-)       0.1367        (-)         (-)         (-)
(11)ｚAC(h)＞          -0.7997        (-)       0.9411     -0.9647     -0.0273
右辺       -0.8158        (-)       0.9012     -1.0127     -0.0466
(13)|ｚAP(h)-ｚAC(h)|   0.4494      0.4097      0.5380      0.5434      0.4855
/ｔp
(14)ｔp /ｔn            1.111       1.111       1.0         0.625       0.5
(17)ｙ07/(ｆw・tanω07w)0.9414      0.9474      0.9391      0.9363      0.9366
【０２９５】
実施例６    実施例７    実施例８    実施例９   実施例１０
(1)βp                  0.7400      0.8014      0.7057      0.7057      0.7065
(2)νdp                15.80       23.22       23.22       23.22       23.38
(3)βhgp                0.7364      0.8727      0.7007      0.7007      0.6877
(4)θgFp-θgFn          0.1473      0.2198      0.1241      0.1156      0.1246
(5)θhgp-θhgn          0.2201      0.3704      0.1984      0.1861      0.1850
(6)νdp-νdn          -24.96      -36.16      -36.16      -26.38      -36.00
(7)ｎdp                 1.68500     1.63494     1.63494     1.63494     1.63387
(8)ｎdn                 1.88300     1.58313     1.58313     1.77250     1.58313
(10)ｚAC(h)＜            (-)          (-)         (-)         (-)       0.8899
右辺         (-)          (-)         (-)         (-)       1.7766
(11)ｚAC(h)＞          -0.0357        (-)         (-)         (-)        (-)
右辺       -0.0368        (-)         (-)         (-)        (-)
(13)|ｚAP(h)-ｚAC(h)|   0.1837      0.5033       0.5667      0.5976     0.8069
/ｔp
(14)ｔp /ｔn            1.0         0.719       0.756       1.125       1.25
(17)ｙ07/(ｆw・tanω07w)0.9355      0.9417      0.9450      0.9515      0.9657
【０２９６】
（実施例１０）
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０２９７】
図２１〜図２３に本発明による結像光学系をデジタルカメラの撮影光学系４１に組み込んだ構成の概念図を示す。図２１はデジタルカメラ４０の外観を示す前方斜視図、図２２は同後方斜視図、図２３はデジタルカメラ４０の光学構成を示す断面図である。
【０２９８】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０２９９】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０３００】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０３０１】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０３０２】
次に、本発明の結像光学系が対物光学系として内蔵された情報処理装置の一例であるパソコンを図２４〜図２６に示す。図２４はパソコン３００のカバーを開いた状態の前方斜視図、図２５はパソコン３００の撮影光学系３０３の断面図、図２６は図２の側面図である。図２４〜図２６に示されるように、パソコン３００は、キーボード３０１と、情報処理手段や記録手段と、モニター３０２と、撮影光学系３０３とを有している。
【０３０３】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０３０４】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０３０５】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図２４には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０３０６】
次に、本発明の結像光学系が撮影光学系として内蔵された情報処理装置の一例である電話、特に持ち運びに便利な携帯電話を図２７に示す。図２７（a）は携帯電話４００の正面図、図２５７（b）は側面図、図２７（c）は撮影光学系４０５の断面図である。図２７（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０３０７】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０３０８】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０３０９】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０３１０】
なお、本発明は、その趣旨を逸脱しない範囲で様々な変形例をとることができる。
【図面の簡単な説明】
【０３１１】
【図１】本発明の実施例１にかかるズームレンズの（a）は広角端、（b）は中間、（c）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（a）は広角端、（b）は中間、（c）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（a）は広角端、（b）は中間、（c）は望遠端における無限遠物点合焦時の光学構成を示す光軸に沿う断面図である。
【図６】実施例３にかかるズームレンズの無限遠物点合焦時における球面収差、非点差、歪曲収差、倍率色収差を示す図であり、（a）は広角端、（b）は中間、（c）は望遠端での状態を示している。
【図７】本発明の実施例４にかかるズームレンズの（a）は広角端、（b）は中間、（c）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（a）は広角端、（b）は中間、（c）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（a）は広角端、（b）は中間、（c）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（a）は広角端、（b）は中間、（c）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるズームレンズの（a）は広角端、（b）は中間、（c）は望遠端における無限遠物点合焦時の光学構成を示す光軸に沿う断面図である。
【図１６】実施例８にかかるズームレンズの無限遠物点合焦時における球面収差、非点収差、歪曲収差、倍率色収差を示す図であり、（a）は広角端、（b）は中間、（c）は望遠端での状態を示している。
【図１７】本発明の実施例９にかかるズームレンズの（a）は広角端、（b）は中間、（c）は望遠端における無限遠物点合焦時の光学構成を示す光軸に沿う断面図である。
【図１８】実施例９にかかるズームレンズの無限遠物点合焦時における球面収差、非点収差、歪曲収差、倍率色収差を示す図であり、（a）は広角端、（b）は中間、（c）は望遠端での状態を示している。
【図１９】本発明の実施例１０にかかるズームレンズの（a）は広角端、（b）は中間、（c）は望遠端における無限遠物点合焦時の光学構成を示す光軸に沿う断面図である。
【図２０】実施例１０にかかるズームレンズの無限遠物点合焦時における球面収差、非点収差、歪曲収差、倍率色収差を示す図であり、（a）は広角端、（b）は中間、（c）は望遠端での状態を示している。
【図２１】本発明によるズーム光学系を組み込んだデジタルカメラ４０の外観を示す前方斜視図である。
【図２２】デジタルカメラ４０の後方斜視図である。
【図２３】デジタルカメラ４０の光学構成を示す断面図である。
【図２４】本発明のズーム光学系が対物光学系として内蔵された情報処理装置の一例であるパソコン３００のカバーを開いた状態の前方斜視図である。
【図２５】パソコン３００の撮影光学系３０３の断面図である。
【図２６】パソコン３００の側面図である。
【図２７】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【符号の説明】
【０３１２】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ１２  各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2009169082.tif 000003
【図２】
2009169082.tif 000004
【図３】
2009169082.tif 000005
【図４】
2009169082.tif 000006
【図５】
2009169082.tif 000007
【図６】
2009169082.tif 000008
【図７】
2009169082.tif 000009
【図８】
2009169082.tif 000010
【図９】
2009169082.tif 000011
【図１０】
2009169082.tif 000012
【図１１】
2009169082.tif 000013
【図１２】
2009169082.tif 000014
【図１３】
2009169082.tif 000015
【図１４】
2009169082.tif 000016
【図１５】
2009169082.tif 000017
【図１６】
2009169082.tif 000018
【図１７】
2009169082.tif 000019
【図１８】
2009169082.tif 000020
【図１９】
2009169082.tif 000021
【図２０】
2009169082.tif 000022
【図２１】
2009169082.tif 000023
【図２２】
2009169082.tif 000024
【図２３】
2009169082.tif 000025
【図２４】
2009169082.tif 000026
【図２５】
2009169082.tif 000027
【図２６】
2009169082.tif 000028
【図２７】
2009169082.tif 000029